(57)【要約】【課題】公差を最小限に抑えることができ、小型化を図ることができるプラグユニットを提供する。【解決手段】  複数の所定規格プラグコネクタ４ａ，４ｂを備えたプラグユニット２であって、複数の所定規格レセプタクルコネクタを備えたレセプタクルユニットとドッキングする際、前記所定規格プラグコネクタが前記所定規格レセプタクルコネクタと嵌合する前に、前記レセプタクルユニットのガイド挿入部に挿入されるガイド部８ａ〜８ｄと、前記レセプタクルユニットに設けられる第２追加コネクタと接続し、前記ガイド部に配置される第１追加コネクタ６ａ，６ｂと、を備え、前記第１追加コネクタは、前記第２追加コネクタの第２コンタクトと接続する複数の第１コンタクト３４ａ，３４ｂを有し、前記複数の第１コンタクトのうちの少なくとも２つの前記第１コンタクトは、前記第２追加コネクタの前記第２コンタクトと接触する接触部３５ａ，３５ｂを同一の方向に露出して配置される。【選択図】図１
2018026364.tif 000002
【特許請求の範囲】
【請求項１】
複数の所定規格プラグコネクタを備えたプラグユニットであって、
複数の所定規格レセプタクルコネクタを備えたレセプタクルユニットとドッキングする際、前記所定規格プラグコネクタが前記所定規格レセプタクルコネクタと嵌合する前に、前記レセプタクルユニットのガイド挿入部に挿入されるガイド部と、
前記レセプタクルユニットに設けられる第２追加コネクタと接続し、前記ガイド部に配置される第１追加コネクタと、を備え、
前記第１追加コネクタは、前記第２追加コネクタの第２コンタクトと接続する複数の第１コンタクトを有し、
前記複数の第１コンタクトのうちの少なくとも２つの前記第１コンタクトは、前記第２追加コネクタの前記第２コンタクトと接触する接触部を同一の方向に露出して配置されることを特徴とするプラグユニット。
【請求項２】
前記所定規格プラグコネクタは、前記所定規格レセプタクルコネクタのレセプタクルコンタクトと接続するプラグコンタクトを備え、
複数の前記所定規格プラグコネクタのそれぞれが有する前記プラグコンタクトを保持すると共に、複数の前記所定規格プラグコネクタそれぞれの間隔及び前記所定規格プラグコネクタの姿勢を規定する１つの絶縁体を備えることを特徴とする請求項１記載のプラグユニット。
【請求項３】
前記第１コンタクトの前記接触部は、前記ガイド部の表面に配置されることを特徴とする請求項１または請求項２記載のプラグユニット。
【請求項４】
複数の所定規格プラグコネクタを備えたプラグユニットであって、
少なくとも２つの前記所定規格プラグコネクタのうちの一方の前記所定規格プラグコネクタは、所定規格レセプタクルコネクタのレセプタクルコンタクトと接続する少なくとも１つの第１プラグコンタクト、前記第１プラグコンタクトを保持する少なくとも１つの第１絶縁体及びグランドに接続する第１金属プレートを有し、
他方の前記所定規格プラグコネクタは、所定規格レセプタクルコネクタのレセプタクルコンタクトと接続する少なくとも１つの第２プラグコンタクト、前記第２プラグコンタクトを保持する少なくとも１つの第２絶縁体及びグランドに接続する第２金属プレートを有し、
前記第１絶縁体と前記第２絶縁体とを連結する第１連結部を備えることを特徴とするプラグユニット。
【請求項５】
前記第１金属プレートと前記第２金属プレートとを連結する第２連結部を備えることを特徴とする請求項４記載のプラグユニット。
【請求項６】
複数の前記所定規格レセプタクルコネクタを備えたレセプタクルユニットとドッキングする際、前記所定規格プラグコネクタが前記所定規格レセプタクルコネクタと嵌合する前に、前記レセプタクルユニットのガイド挿入部に挿入されるガイド部を備えることを特徴とする請求項４または請求項５記載のプラグユニット。
【請求項７】
前記ガイド部は、第１追加コネクタを備えることを特徴とする請求項６記載のプラグユニット。
【請求項８】
前記第１追加コネクタは、前記レセプタクルユニットに設けられる第２追加コネクタの第２コンタクトと接続する接続面を有する第１コンタクトを備え、
前記第１コンタクトの前記接続面は、前記ガイド部の表面に配置されることを特徴とする請求項７記載のプラグユニット。
【請求項９】
少なくとも２つの前記第１追加コネクタを備え、
前記レセプタクルユニットは、一方の前記第１追加コネクタ及び他方の前記第１追加コネクタと接続可能な少なくとも１つの前記第２追加コネクタを備えることを特徴とする請求項１〜請求項３、請求項８記載のプラグユニット。
【請求項１０】
前記ガイド部は、前記第１追加コネクタを配置する配置部を有することを特徴とする請求項１〜請求項３、請求項７〜請求項９の何れか一項に記載のプラグユニット。
【請求項１１】
前記ガイド部は、前記所定規格プラグコネクタの周辺部に形成されることを特徴とする請求項１〜請求項３、請求項６〜請求項１０の何れか一項に記載のプラグユニット。
【請求項１２】
前記ガイド部は、前記複数の所定規格プラグコネクタの間に形成されることを特徴とする請求項１〜請求項３、請求項６〜請求項１０の何れか一項に記載のプラグユニット。
【請求項１３】
前記ガイド部は、金属により形成されることを特徴とする請求項１〜請求項３、請求項６〜請求項１２の何れか一項に記載のプラグユニット。
【請求項１４】
前記複数の所定規格プラグコネクタそれぞれを配列する配列方向に直交する方向の前記ガイド部の幅は、前記配列方向に直交する方向の前記所定規格レセプタクルコネクタの内径の内径幅以上であることを特徴とする請求項１〜請求項３、請求項６〜請求項１３の何れか一項に記載のプラグユニット。
【請求項１５】
複数の前記所定規格プラグコネクタは、リバーシブルコネクタであることを特徴とする請求項１〜請求項１４の何れか一項に記載のプラグユニット。
【請求項１６】
前記所定規格プラグコネクタは、USB Type Cであることを特徴とする請求項１〜請求項１５の何れか一項に記載のプラグユニット。
【請求項１７】
複数の所定規格レセプタクルコネクタを備え、電子機器に搭載されるレセプタクルユニットであって、
複数の所定規格プラグコネクタを備えたプラグユニットとドッキングする際、前記所定規格レセプタクルコネクタが前記所定規格プラグコネクタと嵌合する前に、前記プラグユニットのガイド部を受け入れる少なくとも１つのガイド受入部を有するとともに、前記所定規格レセプタクルコネクタを覆うガイドシェルを備え、
前記複数の所定規格レセプタクルコネクタのうちの少なくとも１つの前記所定規格レセプタクルコネクタは、他の少なくとも１つの前記所定規格レセプタクルコネクタとは別に基板に実装されており、
前記ガイドシェルは、前記所定規格レセプタクルコネクタが前記基板に実装された後、前記基板に固定されることを特徴とするレセプタクルユニット。
【請求項１８】
前記ガイド受入部は、第２追加コネクタを備えることを特徴とする請求項１７記載のレセプタクルユニット。
【請求項１９】
前記第２追加コネクタは、第２コンタクトを備え、
前記第２コンタクトの一端部は、前記プラグユニットに設けられる第１追加コネクタの第１コンタクトと電気的に接続され、
前記第２コンタクトの他端部は、電線と電気的に接続されることを特徴とする請求項１８記載のレセプタクルユニット。
【請求項２０】
前記第２追加コネクタは、第２コンタクトを備え、
前記第２コンタクトの一端部は、前記プラグユニットに設けられる第１追加コネクタの第１コンタクトと電気的に接続され、
前記第２コンタクトの他端部は、前記基板に実装されているコネクタのコンタクトと電気的に接続されることを特徴とする請求項１８記載のレセプタクルユニット。
【請求項２１】
前記ガイド受入部と前記所定規格レセプタクルコネクタのシェルとは、導通していることを特徴とする請求項１８〜請求項２０の何れか一項に記載のレセプタクルユニット。
【請求項２２】
前記ガイド受入部は、前記基板に固定される固定部を備え、
前記固定部は、前記第２追加コネクタの近傍及び前記複数の所定規格レセプタクルコネクタ間に配置されることを特徴とする請求項１８〜請求項２１の何れか一項に記載のレセプタクルユニット。
【請求項２３】
前記ガイド受入部は、前記基板と共に前記電子機器の筐体に固定されることを特徴とする請求項１７〜請求項２２の何れか一項に記載のレセプタクルユニット。
【請求項２４】
前記所定規格レセプタクルコネクタは、前記所定規格プラグコネクタと嵌合する嵌合方向と前記基板の実装面とが平行となるように前記実装面に実装されており、
前記ガイド受入部は、前記実装面に対向する位置から前記基板に固定されることを特徴とする請求項１７〜請求項２３の何れか一項に記載のレセプタクルユニット。
【請求項２５】
前記ガイド受入部は、前記プラグユニットの前記ガイド部を前記ガイド受入部に挿入する挿入方向に対して、前記所定規格レセプタクルコネクタを支持することを特徴とする請求項１７〜請求項２４の何れか一項に記載のレセプタクルユニット。
【請求項２６】
前記電子機器は、携帯型端末装置であることを特徴とする請求項１７〜請求項２５の何れか一項に記載のレセプタクルユニット。
【請求項２７】
前記所定規格レセプタクルコネクタは、USB Type Cであることを特徴とする請求項１７〜請求項２６の何れか一項に記載のレセプタクルユニット。
【発明の詳細な説明】
【技術分野】
【０００１】
本発明は、複数の所定規格プラグコネクタを備えたプラグユニット及び複数の所定規格レセプタクルコネクタを備えたレセプタクルユニットに関するものである。
【背景技術】
【０００２】
タブレット型ＰＣ等の携帯端末装置においては、キーボードやマウス等の周辺機器をドッキングさせて使用するケースが増えている。このような場合においては、高速伝送を実現させるべく、より多くのコンタクトを備えたドッキングコネクタを携帯端末装置及び周辺機器に搭載することが求められている。例えば特許文献１には、多数のコンタクトが配列されている一対のコネクタを有し、一方のコネクタを他方のコネクタにドッキングさせるドッキングコネクタについて記載されている。
【先行技術文献】
【特許文献】
【０００３】
【特許文献１】特開平１１−２８８７６０号公報
【発明の概要】
【発明が解決しようとする課題】
【０００４】
ところで、特許文献１記載のドッキングコネクタにおいて、一方のコネクタは、他方のコネクタとのみドッキング可能である。即ち、一方のコネクタを搭載した周辺機器を、他方のコネクタを搭載した携帯端末装置にドッキングさせることは可能であるが、他方のコネクタ以外のコネクタを搭載した周辺機器をドッキングさせることはできない。
【０００５】
そこで、USB Type C等の標準規格準拠のコネクタ（以下、所定規格コネクタという。）を２つ以上備えたドッキングコネクタを使用することが検討されている。例えば携帯端末装置に２つの所定規格レセプタクルコネクタを備えたレセプタクルユニットとしてのレセプタクル側ドッキングコネクタを搭載した場合、２つの所定規格プラグコネクタを備えたプラグユニットとしてのプラグ側ドッキングコネクタを搭載した周辺機器とドッキング可能なだけでなく、１つの所定規格プラグコネクタを搭載した周辺機器とドッキングさせることもできる。即ち、携帯端末装置側のレセプタクル側ドッキングコネクタが備える２つの所定規格レセプタクルコネクタのうちの一方を１つの所定規格プラグコネクタを搭載した周辺機器にドッキングさせることができる。更には、上記レセプタクル側ドッキングコネクタが備える２つの所定規格レセプタクルコネクタのうちの他方を、１つの所定規格プラグコネクタを搭載した他の周辺機器に接続させることも可能となる。
【０００６】
しかしながら、上述のようなドッキングコネクタを組み立てる工程において、２つの所定規格コネクタを正確な位置に且つ正確な姿勢で実装するのは困難であった。実装時における２つの所定規格コネクタの位置及び姿勢にずれが生じると、所定規格コネクタが相手コネクタと接続する際に接続不良を生じるおそれや、所定規格コネクタが相手コネクタと嵌合する際に破損するおそれがあった。
【０００７】
また、コンタクトを増やすことにより更なる高速伝送を実現させるために、上述のような２つ以上の所定規格コネクタを備えたドッキングコネクタに、追加のコネクタを搭載することが求められている。しかしながら、追加のコネクタを搭載した場合、ドッキングコネクタのサイズが大型化するという問題があった。
【０００８】
本発明の目的は、公差を最小限に抑えることができ、小型化を図ることができるプラグユニット及びレセプタクルユニットを提供することである。
【課題を解決するための手段】
【０００９】
本発明のプラグユニットは、複数の所定規格プラグコネクタを備えたプラグユニットであって、複数の所定規格レセプタクルコネクタを備えたレセプタクルユニットとドッキングする際、前記所定規格プラグコネクタが前記所定規格レセプタクルコネクタと嵌合する前に、前記レセプタクルユニットのガイド挿入部に挿入されるガイド部と、前記レセプタクルユニットに設けられる第２追加コネクタと接続し、前記ガイド部に配置される第１追加コネクタと、を備え、前記第１追加コネクタは、前記第２追加コネクタの第２コンタクトと接続する複数の第１コンタクトを有し、前記複数の第１コンタクトのうちの少なくとも２つの前記第１コンタクトは、前記第２追加コネクタの前記第２コンタクトと接触する接触部を同一の方向に露出して配置されることを特徴とする。
【００１０】
また、本発明のプラグユニットは、前記所定規格プラグコネクタが前記所定規格レセプタクルコネクタのレセプタクルコンタクトと接続するプラグコンタクトを備え、複数の前記所定規格プラグコネクタのそれぞれが有する前記プラグコンタクトを保持すると共に、複数の前記所定規格プラグコネクタそれぞれの間隔及び前記所定規格プラグコネクタの姿勢を規定する１つの絶縁体を備えることを特徴とする。
【００１１】
また、本発明のプラグユニットは、前記第１コンタクトの前記接触部が前記ガイド部の表面に配置されることを特徴とする。
【００１２】
また、本発明のプラグユニットは、複数の所定規格プラグコネクタを備えたプラグユニットであって、少なくとも２つの前記所定規格プラグコネクタのうちの一方の前記所定規格プラグコネクタは、所定規格レセプタクルコネクタのレセプタクルコンタクトと接続する少なくとも１つの第１プラグコンタクト、前記第１プラグコンタクトを保持する少なくとも１つの第１絶縁体及びグランドに接続する第１金属プレートを有し、他方の前記所定規格プラグコネクタは、所定規格レセプタクルコネクタのレセプタクルコンタクトと接続する少なくとも１つの第２プラグコンタクト、前記第２プラグコンタクトを保持する少なくとも１つの第２絶縁体及びグランドに接続する第２金属プレートを有し、前記第１絶縁体と前記第２絶縁体とを連結する第１連結部を備えることを特徴とする。
【００１３】
また、本発明のプラグユニットは、前記第１金属プレートと前記第２金属プレートとを連結する第２連結部を備えることを特徴とする。
【００１４】
また、本発明のプラグユニットは、複数の前記所定規格レセプタクルコネクタを備えたレセプタクルユニットとドッキングする際、前記所定規格プラグコネクタが前記所定規格レセプタクルコネクタと嵌合する前に、前記レセプタクルユニットのガイド挿入部に挿入されるガイド部を備えることを特徴とする。
【００１５】
また、本発明のプラグユニットは、前記ガイド部が第１追加コネクタを備えることを特徴とする。
【００１６】
また、本発明のプラグユニットは、前記第１追加コネクタが前記レセプタクルユニットに設けられる第２追加コネクタの第２コンタクトと接続する接続面を有する第１コンタクトを備え、前記第１コンタクトの前記接続面は、前記ガイド部の表面に配置されることを特徴とする。
【００１７】
また、本発明のプラグユニットは、少なくとも２つの前記第１追加コネクタを備え、前記レセプタクルユニットは、一方の前記第１追加コネクタ及び他方の前記第１追加コネクタと接続可能な少なくとも１つの前記第２追加コネクタを備えることを特徴とする。
【００１８】
また、本発明のプラグユニットは、前記ガイド部が前記第１追加コネクタを配置する配置部を有することを特徴とする。
【００１９】
また、本発明のプラグユニットは、前記ガイド部が前記所定規格プラグコネクタの周辺部に形成されることを特徴とする。
【００２０】
また、本発明のプラグユニットは、前記ガイド部が前記複数の所定規格プラグコネクタの間に形成されることを特徴とする。
【００２１】
また、本発明のプラグユニットは、前記ガイド部が金属により形成されることを特徴とする。
【００２２】
また、本発明のプラグユニットは、前記複数の所定規格プラグコネクタそれぞれを配列する配列方向に直交する方向の前記ガイド部の幅が、前記配列方向に直交する方向の前記所定規格レセプタクルコネクタの内径の内径幅以上であることを特徴とする。
【００２３】
また、本発明のプラグユニットは、複数の前記所定規格プラグコネクタがリバーシブルコネクタであることを特徴とする。
【００２４】
また、本発明のプラグユニットは、前記所定規格プラグコネクタがUSB Type Cであることを特徴とする。
【００２５】
また、本発明のレセプタクルユニットは、複数の所定規格レセプタクルコネクタを備え、電子機器に搭載されるレセプタクルユニットであって、複数の所定規格プラグコネクタを備えたプラグユニットとドッキングする際、前記所定規格レセプタクルコネクタが前記所定規格プラグコネクタと嵌合する前に、前記プラグユニットのガイド部を受け入れる少なくとも１つのガイド受入部を有するとともに、前記所定規格レセプタクルコネクタを覆うガイドシェルを備え、前記複数の所定規格レセプタクルコネクタのうちの少なくとも１つの前記所定規格レセプタクルコネクタは、他の少なくとも１つの前記所定規格レセプタクルコネクタとは別に基板に実装されており、前記ガイドシェルは、前記所定規格レセプタクルコネクタが前記基板に実装された後、前記基板に固定されることを特徴とする。
【００２６】
また、本発明のレセプタクルユニットは、前記ガイド受入部が第２追加コネクタを備えることを特徴とする。
【００２７】
また、本発明のレセプタクルユニットは、前記第２追加コネクタが第２コンタクトを備え、前記第２コンタクトの一端部は、前記プラグユニットに設けられる第１追加コネクタの第１コンタクトと電気的に接続され、前記第２コンタクトの他端部は、電線と電気的に接続されることを特徴とする。
【００２８】
また、本発明のレセプタクルユニットは、前記第２追加コネクタが第２コンタクトを備え、前記第２コンタクトの一端部は、前記プラグユニットに設けられる第１追加コネクタの第１コンタクトと電気的に接続され、前記第２コンタクトの他端部は、前記基板に実装されているコネクタのコンタクトと電気的に接続されることを特徴とする。
【００２９】
また、本発明のレセプタクルユニットは、前記ガイド受入部と前記所定規格レセプタクルコネクタのシェルとが導通していることを特徴とする。
【００３０】
また、本発明のレセプタクルユニットは、前記ガイド受入部が前記基板に固定される固定部を備え、前記固定部は、前記第２追加コネクタの近傍及び前記複数の所定規格レセプタクルコネクタ間に配置されることを特徴とする。
【００３１】
また、本発明のレセプタクルユニットは、前記ガイド受入部が前記基板と共に前記電子機器の筐体に固定されることを特徴とする。
【００３２】
また、本発明のレセプタクルユニットは、前記所定規格レセプタクルコネクタが前記所定規格プラグコネクタと嵌合する嵌合方向と前記基板の実装面とが平行となるように前記実装面に実装されており、前記ガイド受入部は、前記実装面に対向する位置から前記基板に固定されることを特徴とする。
【００３３】
また、本発明のレセプタクルユニットは、前記ガイド受入部が前記プラグユニットの前記ガイド部を前記ガイド受入部に挿入する挿入方向に対して、前記所定規格レセプタクルコネクタを支持することを特徴とする。
【００３４】
また、本発明のレセプタクルユニットは、前記電子機器が携帯型端末装置であることを特徴とする。
【００３５】
また、本発明のレセプタクルユニットは、前記所定規格レセプタクルコネクタがUSB Type Cであることを特徴とする。
【発明の効果】
【００３６】
本発明によれば、公差を最小限に抑えることができ、小型化を図ることができるプラグユニット及びレセプタクルユニットを提供することができる。
【図面の簡単な説明】
【００３７】
【図１】第１の実施の形態に係るプラグドッキングコネクタの外観を示す斜視図である。
【図２】第１の実施の形態に係るプラグドッキングコネクタが有する２つのプラグコネクタの構成を示す分解図である。
【図３】第１の実施の形態に係るプラグドッキングコネクタが有するガイドハウジング及び追加プラグコネクタの構成を示す図である。
【図４】第１の実施の形態に係るレセプタクルドッキングコネクタの外観を示す斜視図である。
【図５】第１の実施の形態に係るレセプタクルドッキングコネクタの構成を示す分解図である。
【図６】第１の実施の形態に係るプラグドッキングコネクタとレセプタクルドッキングコネクタとが嵌合した状態を示す図である。
【図７】他のプラグドッキングコネクタの構成を示す図である。
【図８】他のレセプタクルドッキングコネクタの構成を示す図である。
【図９】第２の実施の形態に係るプラグドッキングコネクタの外観を示す斜視図である。
【図１０】第２の実施の形態に係るプラグドッキングコネクタの外観を示す底面図である。
【図１１】第２の実施の形態に係るプラグドッキングコネクタの構成を示す分解図である。
【図１２】第２の実施の形態に係る前カバーの外観を示す斜視図である。
【図１３】第２の実施の形態に係る制御部の構成を示す図である。
【図１４】第２の実施の形態に係るプラグドッキングコネクタの構成を示す断面図である。
【図１５】第２の実施の形態に係るレセプタクルドッキングコネクタの外観を示す斜視図である。
【図１６】第２の実施の形態に係るレセプタクルドッキングコネクタの外観を示す正面図である。
【図１７】第２の実施の形態に係るレセプタクルドッキングコネクタの外観を示す平面図である。
【図１８】第２の実施の形態に係るレセプタクルドッキングコネクタの外観を示す底面図である。
【図１９】第２の実施の形態に係るレセプタクルドッキングコネクタの構成を示す分解図である。
【図２０】第２の実施の形態に係るレセプタクルドッキングコネクタの構成を示す分解図である。
【図２１】第２の実施の形態に係るレセプタクルドッキングコネクタの構成を示す断面図である。
【図２２】第２の実施の形態に係るレセプタクルドッキングコネクタの構成を示す断面図である。
【図２３】他のプラグドッキングコネクタの外観を示す斜視図である。
【図２４】他のプラグドッキングコネクタの外観を示す底面図である。
【図２５】他のプラグドッキングコネクタの構成を示す分解図である。
【図２６】他のプラグドッキングコネクタの構成を示す断面図である。
【図２７】他のレセプタクルドッキングコネクタの外観を示す斜視図である。
【図２８】他のレセプタクルドッキングコネクタの外観を示す正面図である。
【図２９】他のレセプタクルドッキングコネクタの構成を示す分解図である。
【図３０】他のレセプタクルドッキングコネクタの構成を示す断面図である。
【発明を実施するための形態】
【００３８】
以下、図面を参照して本発明の第１の実施の形態に係るドッキングコネクタについて説明する。図１は、この第１の実施の形態に係るプラグユニットとしてのプラグ側のドッキングコネクタ（以下、プラグドッキングコネクタという。）の外観を示す斜視図である。図１に示すように、プラグドッキングコネクタ２は、２つのUSB Type C規格準拠プラグコネクタ（以下、単にプラグコネクタという。）４ａ，４ｂ、４つの追加プラグコネクタ６ａ〜６ｄ（６ｃ，６ｄについては図３参照）、及び４つのガイド８ａ〜８ｄを有するガイドハウジング１０を備えている。なお、ドッキングコネクタは、携帯型端末装置を外部機器に接続するために用いられるコネクタのことであり、機器本体に組み込まれるもの、ハウジング等により収容されケーブル等により機器と接続されているもの等、広義のドッキングコネクタのことを指す。
【００３９】
また、以下の説明においては、図１に示すＸＹＺ直交座標系を設定し、この直交座標系を参照しつつ各部材の位置関係等について説明する。Ｙ軸は、２つのプラグコネクタ４ａ，４ｂを配置する方向に平行となるように設定されている。Ｚ軸は、プラグドッキングコネクタ２をレセプタクルドッキングコネクタ４２（図４参照）にドッキングさせる方向に平行となるように設定されている。Ｘ軸は、ＹＺ平面に直交する方向に設定されている。また、ガイド８ａ，８ｂ側が＋Ｘ方向及びガイド８ｃ，８ｄ側が−Ｘ方向となるように、プラグコネクタ４ｂ側が＋Ｙ方向及びプラグコネクタ４ａ側が−Ｙ方向となるように、レセプタクルドッキングコネクタ４２にプラグドッキングコネクタ２をドッキングさせる方向が＋Ｚ方向及びレセプタクルドッキングコネクタ４２からプラグドッキングコネクタ２を抜去させる方向が−Ｚ方向となるように設定されている。
【００４０】
図２は、２つのプラグコネクタ４ａ，４ｂの構成を示す分解図である。図２に示すように、プラグコネクタ４ａは、後述するUSB Type C規格準拠レセプタクルコネクタ（以下、単にレセプタクルコネクタという。）４４ａの図示しないコンタクト及びコンタクト４９ａ（図５参照）と接続する複数のコンタクト１２ａ，１４ａを備えている。複数のコンタクト１２ａはプラグコネクタ４ａの＋Ｘ方向側に配置され、複数のコンタクト１４ａはプラグコネクタ４ａの−Ｘ方向側に配置される。同様に、プラグコネクタ４ｂは、後述するレセプタクルコネクタ４４ｂの図示しないコンタクト及びコンタクト４９ｂ（図５参照）と接続する複数のコンタクト１２ｂ，１４ｂを備えている。複数のコンタクト１２ｂはプラグコネクタ４ｂの＋Ｘ方向側に配置され、複数のコンタクト１４ｂはプラグコネクタ４ｂの−Ｘ方向側に配置される。
【００４１】
複数のコンタクト１２ａ，１２ｂは、１つの絶縁体から成るインサートハウジング１６により保持されている。同様に、複数のコンタクト１４ａ，１４ｂは、１つの絶縁体から成るインサートハウジング１８により保持されている。インサートハウジング１６，１８は、プラグコネクタ４ａと４ｂとの間隔、及びプラグコネクタ４ａ，４ｂの姿勢を規定する。プラグコネクタ４ａと４ｂとの間隔、ひいてはコンタクト１２ａと１２ｂとの間隔及びコンタクト１４ａと１４ｂとの間隔が規定されることにより、コンタクト１２ａ，１２ｂをレセプタクルコネクタ４４ａ，４４ｂの図示しないコンタクトに、及びコンタクト１４ａ，１４ｂをコンタクト４９ａ，４９ｂ（図５参照）に確実に接続させることができる。また、プラグコネクタ４ａ，４ｂの姿勢、即ちＸＹ平面における傾きやＺ軸方向における位置及び傾きが規定されることにより、プラグコネクタ４ａ，４ｂをレセプタクルコネクタ４４ａ，４４ｂに損傷なく確実に嵌合させることができる。
【００４２】
また、プラグコネクタ４ａはコンタクト１２ａと１４ａとの間にグランドプレート２０ａ、プラグコネクタ４ｂはコンタクト１２ｂと１４ｂとの間にグランドプレート２０ｂを備えており、グランドプレート２０ａ，２０ｂは、連結部２２により連結されている。また、プラグコネクタ４ａは２つのグランドコンタクト２４ａ，２６ａ、プラグコネクタ４ｂは２つのグランドコンタクト２４ｂ，２６ｂを備えている。グランドコンタクト２４ａはプラグコネクタ４ａの−Ｙ方向側に、グランドコンタクト２６ａはプラグコネクタ４ａの＋Ｙ方向側に配置されており、グランドコンタクト２４ａ，２６ａはグランドプレート２０ａに接続されている。グランドコンタクト２４ｂはプラグコネクタ４ｂの−Ｙ方向側に、グランドコンタクト２６ｂはプラグコネクタ４ｂの＋Ｙ方向側に配置されており、グランドコンタクト２４ｂ，２６ｂはグランドプレート２０ｂに接続されている。
【００４３】
また、プラグコネクタ４ａはハウジング２８ａを有しており、ハウジング２８ａ内には、インサートハウジング１６に保持されている複数のコンタクト１２ａ、インサートハウジング１８に保持されている複数のコンタクト１４ａ、グランドプレート２０ａ、及び２つのグランドコンタクト２４ａ，２６ａが配置される。また、ハウジング２８ａは、グランドプレートコンタクト３０ａ，３１ａを保持している。
【００４４】
グランドプレートコンタクト３０ａは、ハウジング２８ａの＋Ｘ方向側に配置されている。グランドプレートコンタクト３０ａは、プラグコネクタ４ａがレセプタクルコネクタ４４ａ（図４参照）と嵌合した際、レセプタクルコネクタ４４ａの図示しないレセプタクルグランドシェルと接続する。グランドプレートコンタクト３１ａは、ハウジング２８ａの−Ｘ方向側に配置されている。グランドプレートコンタクト３１ａは、プラグコネクタ４ａがレセプタクルコネクタ４４ａと嵌合した際、レセプタクルグランドシェル５２ａ（図５参照）と接続する。
【００４５】
同様に、プラグコネクタ４ｂはハウジング２８ｂを有しており、ハウジング２８ｂ内には、インサートハウジング１６に保持されている複数のコンタクト１２ｂ、インサートハウジング１８に保持されている複数のコンタクト１４ｂ、グランドプレート２０ｂ、及び２つのグランドコンタクト２４ｂ，２６ｂが配置される。また、ハウジング２８ｂはグランドプレートコンタクト３０ｂ、３１ｂを保持している。
【００４６】
グランドプレートコンタクト３０ｂは、ハウジング２８ｂの＋Ｘ方向側に配置されている。グランドプレートコンタクト３０ｂは、プラグコネクタ４ｂがレセプタクルコネクタ４４ｂ（図４参照）と嵌合した際、レセプタクルコネクタ４４ｂの図示しないレセプタクルグランドシェルと接続する。グランドプレートコンタクト３１ｂは、ハウジング２８ｂの−Ｘ方向側に配置されている。グランドプレートコンタクト３１ｂは、プラグコネクタ４ｂがレセプタクルコネクタ４４ｂと嵌合した際、レセプタクルグランドシェル５２ｂ（図５参照）と接続する。
【００４７】
また、プラグコネクタ４ａはシェル３２ａを有しており、シェル３２ａは、ハウジング２８ａの外周、インサートハウジング１６の複数のコンタクト１２ａを保持する側（−Ｙ方向側）、及びインサートハウジング１８の複数のコンタクト１４ａを保持する側（−Ｙ方向側）を覆っている。同様に、プラグコネクタ４ｂはシェル３２ｂを有しており、シェル３２ｂは、ハウジング２８ｂの外周、インサートハウジング１６の複数のコンタクト１２ｂを保持する側（＋Ｙ方向側）、及びインサートハウジング１８の複数のコンタクト１４ｂを保持する側（＋Ｙ方向側を覆っている。
【００４８】
図３は、ガイドハウジング１０及び追加プラグコネクタ６ａ〜６ｄの構成を示す図である。ガイドハウジング１０は、図３に示すように、４つのガイド８ａ〜８ｄを備えており、２つのプラグコネクタ４ａ，４ｂを保持する。４つのガイド８ａ〜８ｄは、高強度を有する材料、例えば金属により形成されており、２つのプラグコネクタ４ａ，４ｂの周辺部に形成されている。即ち、ガイド８ａはプラグコネクタ４ａの＋Ｘ方向側であって−Ｙ方向側に、ガイド８ｂはプラグコネクタ４ｂの＋Ｘ方向側であって＋Ｙ方向側に、ガイド８ｃはプラグコネクタ４ａの−Ｘ方向側であって−Ｙ方向側に、ガイド８ｄはプラグコネクタ４ｂの−Ｘ方向側であって＋Ｙ方向側に形成されている。
【００４９】
ガイド８ａには、追加コネクタ６ａを配置する配置部として、追加コネクタ６ａを嵌め込むための開口３３ａが形成されている。同様に、ガイド８ｂ〜８ｄには、追加コネクタ６ｂ〜６ｄを配置する配置部として、追加コネクタ６ｂ〜６ｄを嵌め込むための開口３３ｂ〜３３ｄが形成されている。なお、配置部は、開口以外の例えば追加コネクタ６ａ〜６ｄを嵌め込むための凹みを設ける構成であってもよい。
【００５０】
また、ガイド８ａ〜８ｄの＋Ｚ方向側の先端部は、プラグコネクタ４ａ，４ｂの＋Ｚ方向側の先端部より＋Ｚ方向に突出している。即ち、ガイド８ａ〜８ｄは、プラグコネクタ４ａ，４ｂよりガイド８ａ〜８ｄがガイド挿入部４８ａ〜４８ｄ（図４参照）に挿入される挿入方向（＋Ｚ方向）側に突出している。したがって、ガイド８ａ〜８ｄは、プラグドッキングコネクタ２がレセプタクルドッキングコネクタ４２とドッキングする際、プラグコネクタ４ａ，４ｂがレセプタクルコネクタ４４ａ，４４ｂと嵌合を開始する前に、レセプタクルドッキングコネクタ４２のガイド挿入部４８ａ〜４８ｄに挿入される。
【００５１】
追加プラグコネクタ６ａは、図１に示すように、ガイド８ａの開口３３ａに配置されている。追加プラグコネクタ６ａは、図３に示すように、複数（この第１の実施の形態では５個）のコンタクト３４ａ及び複数のコンタクト３４ａを保持するハウジング３６ａを備えている。コンタクト３４ａは、図３に示すように、追加レセプタクルコネクタ４６ａ（図４参照）のコンタクト５６ａの接続端子５８ａ（図５参照）と接続する接続面３５ａを有している。接続面３５ａは、図１に示すように、ガイド８ａの表面であるガイド面９ａと略同一面上に配置される。
【００５２】
追加プラグコネクタ６ｂは、ガイド８ｂの開口３３ｂに配置されており、複数（この第１の実施の形態では５個）のコンタクト３４ｂ及び複数のコンタクト３４ｂを保持するハウジング３６ｂを備えている。コンタクト３４ｂは、追加レセプタクルコネクタ４６ｂ（図４参照）のコンタクト５６ｂの接続端子５８ｂ（図５参照）と接続する接続面３５ｂを有している。接続面３５ｂは、図１に示すように、ガイド８ｂの表面であるガイド面９ｂと略同一面上に配置される。
【００５３】
追加プラグコネクタ６ｃは、ガイド８ｃの開口３３ｃに配置されており、複数のコンタクト（図示せず）及び複数のコンタクトを保持するハウジング３６ｃを備えている。追加プラグコネクタ６ｄは、ガイド８ｄの開口３３ｄに配置されており、複数のコンタクト（図示せず）及び複数のコンタクトを保持するハウジング３６ｄを備えている。
【００５４】
次に、図面を参照して本発明の第１の実施の形態に係るレセプタクルユニットとしてのレセプタクル側のドッキングコネクタ（以下、レセプタクルドッキングコネクタという。）について説明する。図４は、第１の実施の形態に係るレセプタクルドッキングコネクタの外観を示す斜視図である。レセプタクルドッキングコネクタ４２は、タブレット型ＰＣ等の携帯型端末装置に搭載されており、図４に示すように、２つのレセプタクルコネクタ４４ａ，４４ｂ、２つの追加レセプタクルコネクタ４６ａ，４６ｂ及び４つのガイド挿入部４８ａ〜４８ｄを有するガイドシェル５０を備えている。
【００５５】
図５は、レセプタクルドッキングコネクタ４２の構成について説明するための分解図である。図５に示すように、レセプタクルコネクタ４４ａは、プラグコネクタ４ａのコンタクト１２ａと接続する複数のコンタクト（図示せず）、及びコンタクト１４ａと接続する複数のコンタクト４９ａを備えている。図示しない複数のコンタクトはレセプタクルコネクタ４４ａの＋Ｘ方向側に配置され、複数のコンタクト４９ａはレセプタクルコネクタ４４ａの−Ｘ方向側に配置されている。同様に、レセプタクルコネクタ４４ｂは、プラグコネクタ４ｂのコンタクト１２ｂと接続する複数のコンタクト（図示せず）、及びコンタクト１４ｂと接続する複数のコンタクト４９ｂを備えている。図示しない複数のコンタクトはレセプタクルコネクタ４４ｂの＋Ｘ方向側に配置され、複数のコンタクト４９ｂはレセプタクルコネクタ４４ｂの−Ｘ方向側に配置される。
【００５６】
また、レセプタクルコネクタ４４ａは、レセプタクルグランドシェル５２ａ、及び図示しないレセプタクルグランドシェルを備えている。レセプタクルグランドシェル５２ａは、レセプタクルコネクタ４４ａの−Ｘ方向側に配置され、図示しないレセプタクルグランドシェルは、レセプタクルコネクタ４４ａの＋Ｘ方向側に配置されている。レセプタクルグランドシェル５２ａは、レセプタクルコネクタ４４ａがプラグコネクタ４ａと嵌合した際、グランドプレートコンタクト３１ａと接続する。図示しないレセプタクルグランドシェルは、レセプタクルコネクタ４４ａがプラグコネクタ４ａと嵌合した際、グランドプレートコンタクト３０ａと接続する。
【００５７】
レセプタクルコネクタ４４ｂは、レセプタクルグランドシェル５２ｂ及び図示しないレセプタクルグランドシェルを備えている。レセプタクルグランドシェル５２ｂは、レセプタクルコネクタ４４ｂの−Ｘ方向側に配置され、図示しないレセプタクルグランドシェルは、レセプタクルコネクタ４４ａの＋Ｘ方向側に配置されている。レセプタクルグランドシェル５２ｂは、レセプタクルコネクタ４４ｂがプラグコネクタ４ｂと嵌合した際、グランドプレートコンタクト３１ｂと接続する。図示しないレセプタクルグランドシェルは、レセプタクルコネクタ４４ｂがプラグコネクタ４ｂと嵌合した際、グランドプレートコンタクト３０ｂと接続する。
【００５８】
また、複数のコンタクト４９ａ，４９ｂ、レセプタクルコネクタ４４ａ，４４ｂの図示しない複数のコンタクト、レセプタクルグランドシェル５２ａ，５２ｂ、及びレセプタクルコネクタ４４ａ，４４ｂの図示しないレセプタクルグランドシェルは、１つの絶縁体から成るレセプタクルハウジング５４に保持されている。レセプタクルハウジング５４は、レセプタクルコネクタ４４ａと４４ｂとの間隔、及びレセプタクルコネクタ４４ａ，４４ｂの姿勢を規定する。レセプタクルコネクタ４４ａと４４ｂとの間隔、ひいてはコンタクト４９ａと４９ｂとの間隔が規定されることにより、コンタクト４９ａ，４９ｂをプラグコネクタ４ａ，４ｂのコンタクト１４ａ，１４ｂに確実に接続させることができる。同様に、レセプタクルコネクタ４４ａの図示しないコンタクトとレセプタクルコネクタ４４ｂの図示しないコンタクトとの間隔が規定されることにより、レセプタクルコネクタ４４ａの図示しないコンタクト及びレセプタクルコネクタ４４ｂの図示しないコンタクトをプラグコネクタ４ａ，４ｂのコンタクト１２ａ，１２ｂに確実に接続させることができる。また、レセプタクルコネクタ４４ａ，４４ｂの姿勢、即ちＸＹ平面における傾きやＺ軸方向における位置及び傾きが規定されることにより、レセプタクルコネクタ４４ａ，４４ｂをプラグコネクタ４ａ，４ｂに損傷なく確実に嵌合させることができる。
【００５９】
ガイドシェル５０は、レセプタクルハウジング５４（レセプタクルコネクタ４４ａ，４４ｂ）の外周を覆っており、レセプタクルハウジング５４を保持することにより２つのレセプタクルコネクタ４４ａ，４４ｂを保持している。ガイドシェル５０は、４つのガイド挿入部４８ａ〜４８ｄを備えており、４つのガイド挿入部４８ａ〜４８ｄは、レセプタクルコネクタ４４ａ，４４ｂの周辺部に形成されている。即ち、ガイド挿入部４８ａはレセプタクルコネクタ４４ａの＋Ｘ方向側であって−Ｙ方向側に、ガイド挿入部４８ｂはレセプタクルコネクタ４４ｂの＋Ｘ方向側であって＋Ｙ方向側に、ガイド挿入部４８ｃはレセプタクルコネクタ４４ａの−Ｘ方向側であって−Ｙ方向側に、ガイド挿入部４８ｄはレセプタクルコネクタ４４ｂの−Ｘ方向側であって＋Ｙ方向側に形成されている。
【００６０】
また、ガイド挿入部４８ａ〜４８ｄの挿入口は、レセプタクルコネクタ４４ａ，４４ｂの−Ｚ方向側の先端部より−Ｚ方向側に突出している。したがって、ガイド挿入部４８ａ〜４８ｄは、レセプタクルドッキングコネクタ４２がプラグドッキングコネクタ２とドッキングする際、レセプタクルコネクタ４４ａ，４４ｂがプラグコネクタ４ａ，４ｂと嵌合を開始する前に、プラグドッキングコネクタ２のガイド８ａ〜８ｄを受け入れる。
【００６１】
追加レセプタクルコネクタ４６ａは、図４に示すように、ガイド挿入部４８ａの＋Ｘ方向側に配置されている。追加レセプタクルコネクタ４６ａは、図５に示すように、複数（この第１の実施の形態では５個）のコンタクト５６ａを備えている。コンタクト５６ａは、追加プラグコネクタ６ａのコンタクト３４ａと接続する接続端子５８ａを有しており、接続端子５８ａは、弾性体により形成されている。また、追加レセプタクルコネクタ４６ａは、複数のコンタクト５６ａを保持する追加レセプタクルハウジング６０ａ、及び追加レセプタクルハウジング６０ａを保持するレセプタクルガイドハウジング６２ａを備えている。
【００６２】
追加レセプタクルコネクタ４６ｂは、図４に示すように、ガイド挿入部４８ｂの＋Ｘ方向側に配置されている。追加レセプタクルコネクタ４６ｂは、図５に示すように、複数（この第１の実施の形態では５個）のコンタクト５６ｂを備えている。コンタクト５６ｂは、追加プラグコネクタ６ｂのコンタクト３４ｂと接続する接続端子５８ｂを有しており、接続端子５８ｂは、弾性体により形成されている。また、追加レセプタクルコネクタ４６ｂは、複数のコンタクト５６ｂを保持する追加レセプタクルハウジング６０ｂ、及び追加レセプタクルハウジング６０ｂを保持するレセプタクルガイドハウジング６２ｂを備えている。
【００６３】
なお、上述の第１の実施の形態においては、図６に示すように、レセプタクルコネクタ４４ａをプラグコネクタ４ａに、レセプタクルコネクタ４４ｂをプラグコネクタ４ｂに嵌合させる場合を例に挙げて説明した。この場合においては、追加レセプタクルコネクタ４６ａは追加プラグコネクタ６ａに、追加レセプタクルコネクタ４６ｂは追加プラグコネクタ６ｂに接続する。しかしながら、この第１の実施の形態に係るプラグドッキングコネクタ２及びレセプタクルドッキングコネクタ４２は、リバーシブルコネクタであり、レセプタクルコネクタ４４ａをプラグコネクタ４ｂに、レセプタクルコネクタ４４ｂをプラグコネクタ４ａに嵌合させることも可能である。この場合においては、追加レセプタクルコネクタ４６ａは追加プラグコネクタ６ｄに、追加レセプタクルコネクタ４６ｂは追加プラグコネクタ６ｃに接続する。
【００６４】
追加プラグコネクタ６ｃの図示しない複数のコンタクトは、追加レセプタクルコネクタ４６ｂのコンタクト５６ｂの接続端子５８ｂと接続する接続面を有している。この接続面は、ガイド８ｃの表面であるガイド面（図示せず）と略同一面上に配置される。同様に、追加プラグコネクタ６ｄの図示しない複数のコンタクトは、追加レセプタクルコネクタ４６ａのコンタクト５６ａの接続端子５８ａと接続する接続面を有している。この接続面は、ガイド８ｄの表面であるガイド面（図示せず）と略同一面上に配置される。
【００６５】
この第１の実施の形態に係るプラグドッキングコネクタ２によれば、複数のコンタクト１２ａ，１２ｂが１つの絶縁体から成るインサートハウジング１６により保持され、且つ複数のコンタクト１４ａ，１４ｂが１つの絶縁体から成るインサートハウジング１８により保持されているため、プラグコネクタ４ａと４ｂとの間隔、及びプラグコネクタ４ａ，４ｂの姿勢が規定されている。したがって、公差を最小限に抑えることができ、コンタクト１２ａ，１２ｂをレセプタクルコネクタ４４ａ，４４ｂの図示しないコンタクトに、コンタクト１４ａ，１４ｂをコンタクト４９ａ，４９ｂに確実に接続させることができる。また、プラグコネクタ４ａ，４ｂをレセプタクルコネクタ４４ａ，４４ｂに損傷なく確実に嵌合させることができる。
【００６６】
また、この第１の実施の形態に係るレセプタクルドッキングコネクタ４２によれば、コンタクト４９ａ，４９ｂ等が１つの絶縁体から成るレセプタクルハウジング５４に保持されているため、レセプタクルコネクタ４４ａと４４ｂとの間隔、及びレセプタクルコネクタ４４ａ，４４ｂの姿勢が規定されている。したがって、公差を最小限に抑えることができ、レセプタクルコネクタ４４ａ，４４ｂの図示しないコンタクトをコンタクト１２ａ，１２ｂに、コンタクト４９ａ，４９ｂをコンタクト１４ａ，１４ｂに確実に接続させることができる。また、レセプタクルコネクタ４４ａ，４４ｂをプラグコネクタ４ａ，４ｂに損傷なく確実に嵌合させることができる。
【００６７】
また、複数の標準規格準拠のコネクタ等の所定規格コネクタを有するドッキングコネクタに更にコネクタを追加した場合、ドッキングコネクタのサイズが大きくなるという問題があったが、この第１の実施の形態に係るプラグドッキングコネクタ２によれば、ガイド８ａ〜８ｄに追加プラグコネクタ６ａ〜６ｄを配置するため、プラグドッキングコネクタ２を小型化することができる。同様に、この第１の実施の形態に係るレセプタクルドッキングコネクタ４２によれば、ガイド挿入部４８ａ，４８ｂに追加レセプタクルコネクタ４６ａ，４６ｂを配置するため、レセプタクルドッキングコネクタ４２を小型化することができる。
【００６８】
なお、上述の第１の実施の形態に係るプラグドッキングコネクタ２においては、ガイド８ａ，８ｂのガイド面９ａ，９ｂが平面である場合を例に挙げて説明したが、ガイド面が曲面の場合であっても本発明を適用することができる。ガイド面が曲面であっても、接続面３５ａ，３５ｂは、ガイド面と略同一面上に配置可能である。同様に、ガイド８ｃ，８ｄの図示しないガイド面も平面または曲面であり、追加コネクタ６ｃ，６ｄの図示しない接続面は、ガイド８ｃ，８ｄの図示しないガイド面と略同一面上に配置される。
【００６９】
また、上述の第１の実施の形態に係るプラグドッキングコネクタ２においては、４つの追加プラグコネクタ６ａ〜６ｄを備えているが、少なくとも２つの追加プラグコネクタを備えていればよい。また、上述の実施の形態に係るレセプタクルドッキングコネクタ４２においては、２つの追加レセプタクルコネクタ４６ａ，４６ｂを備えているが、少なくとも１つの追加レセプタクルコネクタを備えていればよい。
【００７０】
また、上述の第１の実施の形態に係るプラグドッキングコネクタ２においては、ガイド８ａ〜８ｄの＋Ｚ方向における先端部がプラグコネクタ４ａ、４ｂの先端部より突出しており、レセプタクルドッキングコネクタ４２のガイド挿入部４８ａ〜４８ｄの挿入口がレセプタクルコネクタ４４ａ，４４ｂの先端部より突出している。しかしながら、ガイド８ａ〜８ｄの先端部及びガイド挿入部４８ａ〜４８ｄの挿入口の少なくとも一方が突出していればよい。即ち、プラグコネクタ４ａ，４ｂがレセプタクルコネクタ４４ａ，４４ｂと嵌合を開始する前に、ガイド８ａ〜８ｄがガイド挿入部４８ａ〜４８ｄに挿入される構成であればよい。
【００７１】
また、上述の第１の実施の形態に係るプラグドッキングコネクタ２においては、プラグコネクタ４ａ，４ｂの周囲にガイド８ａ〜８ｄが形成されているが、例えば図７に示すプラグドッキングコネクタ６４のようにプラグコネクタ４ａ，４ｂの間にガイド６６が形成されていてもよい。この場合には、図７に示すように、ガイド６６に少なくとも１つの追加プラグコネクタ６８が配置される。図８は、図７に示すプラグドッキングコネクタ６４とドッキングするレセプタクルドッキングコネクタ７０の外観を示す図である。上述の実施の形態に係るレセプタクルドッキングコネクタ４２においては、レセプタクルコネクタ４４ａ，４４ｂの周囲のガイド挿入部４８ａ〜４８ｄが形成されているが、レセプタクルドッキングコネクタ７０においては、図８に示すように、レセプタクルコネクタ４４ａ，４４ｂ（図４参照）を収容する収容部７４ａ，７４ｂの間にガイド挿入部７２が形成されている。この場合には、プラグコネクタ６８と接続する少なくとも１つの追加レセプタクルコネクタ（図示せず）がガイド挿入部７２に配置される。
【００７２】
図７に示すガイド６６は、高強度を有する材料、例えば金属により形成されており、ガイド６６の先端部は、プラグコネクタ４ａ，４ｂの先端部より＋Ｚ方向に突出している。したがって、ガイド６６は、プラグドッキングコネクタ６４がレセプタクルドッキングコネクタ７０とドッキングする際、プラグコネクタ４ａ，４ｂがレセプタクルコネクタ４４ａ，４４ｂと嵌合を開始する前に、レセプタクルドッキングコネクタ７０のガイド挿入部７２に挿入される。このプラグドッキングコネクタ６４及びレセプタクルドッキングコネクタ７０によれば、一つのガイド６６及びガイド挿入部７２を備え、ガイド６６に追加プラグコネクタ６８が、ガイド挿入部７２に追加レセプタクルコネクタが配置されるため、プラグドッキングコネクタ６４及びレセプタクルドッキングコネクタ７０を小型化することができる。
【００７３】
次に、図面を参照して本発明の第２の実施の形態に係るドッキングコネクタについて説明する。図９は、第２の実施の形態に係るプラグユニットとしてのプラグドッキングコネクタの外観を示す斜視図、図１０は、第２の実施の形態に係るプラグドッキングコネクタの外観を示す底面図である。図９及び図１０に示すように、プラグドッキングコネクタ７５は、２つのUSB Type C規格準拠プラグコネクタ（以下、単にプラグコネクタという。）７６ａ，７６ｂ、２つの追加プラグコネクタ７７ａ，７７ｂ、２つのガイド部７８ａ，７８ｂを有する前カバー７９、及び後ろカバー８１を備えている。なお、ドッキングコネクタは、携帯型端末装置を外部機器に接続するために用いられるコネクタのことであり、機器本体に組み込まれるもの、ハウジング等により収容されケーブル等により機器と接続されているもの等、広義のドッキングコネクタのことを指す。
【００７４】
また、以下の説明においては、図９に示すＸＹＺ直交座標系を設定し、この直交座標系を参照しつつ各部材の位置関係等について説明する。Ｘ軸は、２つのプラグコネクタ７６ａ，７６ｂを配置する方向に平行となるように設定されている。Ｙ軸は、プラグドッキングコネクタ７５をレセプタクルドッキングコネクタ７３（図１５参照）にドッキングさせる方向に平行となるように設定されている。Ｚ軸は、ＹＺ平面に直交する方向に設定されている。また、プラグコネクタ７６ｂ側が＋Ｘ方向及びプラグコネクタ７６ａ側が−Ｘ方向となるように、レセプタクルドッキングコネクタにプラグドッキングコネクタ７５をドッキングさせる方向が＋Ｙ方向及びレセプタクルドッキングコネクタからプラグドッキングコネクタ７５を抜去させる方向が−Ｙ方向となるように設定されている。
【００７５】
図１１は、プラグドッキングコネクタ７５の構成を示す分解図、図１２は、前カバー７９を−Ｙ方向から見た外観斜視図である。図９〜図１２に示すように、前カバー７９は、プラグコネクタ７６ａ，７６ｂを覆うカバーとして機能する。
【００７６】
前カバー７９は、２つのUSB Type C規格準拠レセプタクルコネクタ（以下、単にレセプタクルコネクタという。）１１３ａ，１１３ｂを備えたレセプタクルドッキングコネクタ７３（図１５参照）とドッキングする際、プラグコネクタ７６ａ，７６ｂが２つのレセプタクルコネクタ１１３ａ，１１３ｂ（図１５参照）と嵌合する前に、レセプタクルドッキングコネクタ７３のガイド受入部１０２ａ，１０２ｂ（図１５参照）に挿入される２つのガイド部７８ａ，７８ｂを備えている。２つのガイド部７８ａ，７８ｂは、前カバー７９と一体に形成されており、前カバー７９及び２つのガイド部７８ａ，７８ｂは、樹脂により形成されている。ガイド部７８ａはプラグコネクタ７６ａの−Ｘ方向側に、ガイド部７８ｂはプラグコネクタ７６ｂの＋Ｘ方向側に形成されている。
【００７７】
ガイド部７８ａには、高強度を有する部材（この実施の形態では金属）９５ａがインサート成形されている。同様に、ガイド部７８ｂには、高強度を有する部材（この実施の形態では金属）９５ｂがインサート成形されている。金属９５ａ，９５ｂがガイド部７８ａ，７８ｂにインサート成形されることにより、ガイド部７８ａ，７８ｂの強度を増大させることができ、ガイド部７８ａ，７８ｂがレセプタクルドッキングコネクタ７３のガイド受入部１０２ａ，１０２ｂに挿入される際、ガイド部７８ａ，７８ｂが破損するのを防止することができる。なお、金属９５ａ，９５ｂは、ガイド部７８ａ，７８ｂにインサート成形される以外に、嵌め込み、埋め込み等により組み込まれていてもよい。
【００７８】
また、ガイド部７８ａ，７８ｂの＋Ｙ方向側の先端部は、プラグコネクタ７６ａ，７６ｂの＋Ｙ方向側の先端部より＋Ｙ方向に突出している。即ち、ガイド部７８ａ，７８ｂは、プラグコネクタ７６ａ，７６ｂより、ガイド部７８ａ，７８ｂがレセプタクルドッキングコネクタ７３のガイド受入部１０２ａ，１０２ｂに挿入される挿入方向（＋Ｙ方向）側に突出している。したがって、ガイド部７８ａ，７８ｂは、プラグドッキングコネクタ７５がレセプタクルドッキングコネクタ７３とドッキングする際、プラグコネクタ７６ａ，７６ｂがレセプタクルコネクタ１１３ａ，１１３ｂと嵌合する前に、レセプタクルドッキングコネクタ７３のガイド受入部１０２ａ，１０２ｂに挿入される。
【００７９】
また、プラグコネクタ７６ａ，７６ｂを配列する配列方向に直交する方向（Ｚ方向）におけるガイド部７８ａ，７８ｂの幅Ｗ（ｍｍ）は、レセプタクルコネクタ１１３ａ，１１３ｂの内径のＺ方向における内径幅Ｄ（ｍｍ）以上である。なお、ガイド部７８ａ，７８ｂの幅Ｗ（ｍｍ）は、Ｄ≦Ｗ≦（Ｄ＋０．６）であることが好ましく、Ｄ≦Ｗ≦（Ｄ＋１）であることが更に好ましい。したがって、プラグドッキングコネクタ７５がレセプタクルドッキングコネクタ７３とドッキングする際、ガイド部７８ａ，７８ｂがレセプタクルコネクタ１１３ａ，１１３ｂに誤挿入されるのを防止することができる。
【００８０】
また、ガイド部７８ａには、追加プラグコネクタ７７ａが配置、即ち組み込まれており、追加プラグコネクタ７７ａは、図１０に示すように、複数のコンタクト１１６ａを備えている。コンタクト１１６ａは、追加レセプタクルコネクタ１０３ａのコンタクト１０７ａの接続端子１０８ａ（図２１参照）と接続する接続面を有している。接続面は、ガイド部７８ａの＋Ｚ側の面と略同一面上に配置される。また、追加プラグコネクタ７７ａは、ガイド部７８ａの−Ｚ側の面にも複数のコンタクト（図示せず）を備えている。図示しないコンタクトは、追加レセプタクルコネクタ１０３ａのコンタクト１０７ａの接続端子１０８ａ（図２１参照）と接続する接続面を有している。接続面は、ガイド部７８ａの−Ｚ側の面と略同一面上に配置される。追加プラグコネクタ７７ａのコンタクト１１６ａ及び図示しないコンタクトは、図１１に示すケーブル９６ａに電気的に接続されている。
【００８１】
また、ガイド部７８ｂには、追加プラグコネクタ７７ｂが配置、即ち組み込まれており、追加プラグコネクタ７７ｂは、図１０に示すように、複数のコンタクト１１６ｂを備えている。コンタクト１１６ｂは、追加レセプタクルコネクタ１０３ｂ（図１５参照）のコンタクトの接続端子（図示せず）と接続する接続面を有している。接続面は、ガイド部７８ｂの＋Ｚ側の面と略同一面上に配置される。また、追加プラグコネクタ７７ｂは、ガイド部７８ｂの−Ｚ側の面にも複数のコンタクト（図示せず）を備えている。図示しないコンタクトは、追加レセプタクルコネクタ１０３ｂのコンタクト１０７ｂの接続端子（図示せず）と接続する接続面を有している。接続面は、ガイド部７８ｂの−Ｚ側の面と略同一面上に配置される。追加プラグコネクタ７７ｂのコンタクト１１６ｂ及び図示しないコンタクトは、図１１に示すケーブル９６ｂに電気的に接続されている。
【００８２】
また、前カバー７９のガイド部７８ａとガイド部７８ｂとの間の−Ｘ方向側には、プラグコネクタ７６ａを覆い、プラグコネクタ７６ａがレセプタクルコネクタ１１３ａ（図１５参照）と嵌合する嵌合部８０ａを露出させるための開口部８６ａが形成されている。また、前カバー７９のガイド部７８ａとガイド部７８ｂとの間の＋Ｘ方向側には、プラグコネクタ７６ｂを覆い、プラグコネクタ７６ｂがレセプタクルコネクタ１１３ｂ（図１５参照）と嵌合する嵌合部８０ｂを露出させるための開口部８６ｂが形成されている。
【００８３】
また、前カバー７９（ガイド部７８ａ，７８ｂが形成されている面の裏面）には、図１２に示すように、−Ｘ方向側にケーブル収容部９７ａ，９８ａ、＋Ｘ方向側にケーブル収容部９７ｂ，９８ｂが形成されている。ケーブル収容部９７ａは、＋Ｚ方向側に位置しており、ケーブル８３ａ（図１４参照）を収容する。ケーブル収容部９８ａは、−Ｚ方向側に位置しており、ケーブル８４ａ（図１４参照）を収容する。ケーブル収容部９７ｂは、＋Ｚ方向側に位置しており、ケーブル８３ｂ（図１１参照）を収容する。ケーブル収容部９８ｂは、−Ｚ方向側に位置しており、ケーブル８４ｂ（図１１参照）を収容する。
【００８４】
更に、前カバー７９（ガイド部７８ａ，７８ｂが形成されている面の裏面）には、図１２に示すように、−Ｘ方向側にケーブル保持部９９ａ，１００ａ、＋Ｘ方向側にケーブル保持部９９ｂ，１００ｂが形成されている。ケーブル保持部９９ａは、＋Ｚ方向側に位置しており、後ろカバー８１のケーブル保持部６９ａ（図１１参照）と共に、ケーブル８３ａ（図１１参照）を保持する。ケーブル保持部１００ａは、−Ｚ方向側に位置しており、後ろカバー８１のケーブル保持部７１ａ（図１１参照）と共に、ケーブル８４ａ（図１１参照）を保持する。ケーブル保持部９９ｂは、＋Ｚ方向側に位置しており、後ろカバー８１のケーブル保持部６９ｂ（図１１参照）と共に、ケーブル８３ｂ（図１１参照）を保持する。ケーブル保持部１００ｂは、−Ｚ方向側に位置しており、後ろカバー８１のケーブル保持部７１ｂ（図１１参照）と共に、ケーブル８４ｂ（図１１参照）を保持する。ケーブル保持部９９ａ，９９ｂ，１００ａ，１００ｂのそれぞれは、後述する後ろカバー８１のケーブル保持部６９ａ，６９ｂ，７１ａ，７１ｂのそれぞれと共にケーブル８３ａ，８３ｂ，８４ａ，８４ｂのそれぞれを保持する第２保持部として機能する。第２保持部の詳細については後述する。
【００８５】
また、プラグコネクタ７６ａの外壁部、即ち後述するプラグシェル６５ａと、開口部８６ａの＋Ｙ方向側に形成される壁部８７ａとの間には、図９に示すように、開口部８６ａが形成される面（ＺＸ平面）において前カバー７９（前カバー７９に固定される後ろカバー８１）に対してプラグコネクタ７６ａが移動できるように、所定のスペースが形成されている。同様に、プラグコネクタ７６ｂの外壁部、即ち後述するプラグシェル６５ｂと、開口部８６ｂの＋Ｙ方向側に形成される壁部８７ｂとの間には、開口部８６ｂが形成される面（ＺＸ平面）において前カバー７９（前カバー７９に固定される後ろカバー８１）に対してプラグコネクタ７６ｂが移動できるように、所定のスペースが形成されている。
【００８６】
プラグコネクタ７６ａの外壁部と前カバー７９（開口部８６ａの−Ｙ方向側に形成される壁部８８ａ）との間には、制御部８９ａが設けられている。図１３は、制御部８９ａの構成を示す図である。制御部８９ａは、導電性を有する部材、例えば金属からなり、制御部８９ａの＋Ｚ方向側には、図１３に示すように、４つのＺ側弾性部９０ａが形成されている。また、制御部８９ａの−Ｚ方向側には、４つのＺ側弾性部９１ａが形成されている。制御部８９ａは、開口部８６ａに組み込まれており、Ｚ側弾性部９０ａは、プラグコネクタ７６ａの＋Ｚ方向側の外壁部を弾性力により−Ｚ方向に押している。プラグコネクタ７６ａの＋Ｚ方向側の外壁部は、Ｚ側弾性部９０ａの弾性力を受けている。Ｚ側弾性部９１ａは、プラグコネクタ７６ａの−Ｚ方向側の外壁部を弾性力により＋Ｚ方向に押している。プラグコネクタ７６ａの−Ｚ方向側の外壁部は、Ｚ側弾性部９１ａの弾性力を受けている。
【００８７】
制御部８９ａは、Ｚ側弾性部９０ａ，９１ａの弾性力を用いて、開口部８６ａに対するプラグコネクタ７６ａのＺ方向における位置を制御する。例えば、プラグコネクタ７６ａに−Ｚ方向の力を加えると、Ｚ側弾性部９０ａは−Ｚ方向に伸び、Ｚ側弾性部９１ａは−Ｚ方向に縮む。したがって、プラグコネクタ７６ａは、プラグコネクタ７６ａの外壁部と壁部８８ａとの間に形成されている所定のスペース内を−Ｚ方向に移動する。プラグコネクタ７６ａに＋Ｚ方向の力を加えると、Ｚ側弾性部９０ａは＋Ｚ方向に縮み、Ｚ側弾性部９１ａは＋Ｚ方向に伸びる。したがって、プラグコネクタ７６ａは、プラグコネクタ７６ａの外壁部と壁部８８ａとの間に形成されている所定のスペース内を＋Ｚ方向に移動する。
【００８８】
また、制御部８９ａの＋Ｘ方向側には、図１３に示すように、２つのＸ側弾性部９２ａが形成されている。また、制御部８９ａの−Ｘ方向側には、２つのＸ側弾性部９３ａが形成されている。Ｘ側弾性部９２ａは、プラグコネクタ７６ａの＋Ｘ方向側の外壁部を弾性力により−Ｘ方向に押している。プラグコネクタ７６ａの＋Ｘ方向側の外壁部は、Ｘ側弾性部９２ａの弾性力を受けている。Ｘ側弾性部９３ａは、プラグコネクタ７６ａの−Ｘ方向側の外壁部を弾性力により＋Ｘ方向に押している。プラグコネクタ７６ａの−Ｘ方向側の外壁部は、Ｘ側弾性部９３ａの弾性力を受けている。
【００８９】
制御部８９ａは、Ｘ側弾性部９２ａ，９３ａの弾性力を用いて、開口部８６ａに対するプラグコネクタ７６ａのＸ方向における位置を制御する。例えば、プラグコネクタ７６ａに−Ｘ方向の力を加えると、Ｘ側弾性部９２ａは−Ｘ方向に伸び、Ｘ側弾性部９３ａは−Ｘ方向に縮む。したがって、プラグコネクタ７６ａは、プラグコネクタ７６ａの外壁部と壁部８８ａとの間に形成されている所定のスペース内を−Ｘ方向に移動する。プラグコネクタ７６ａに＋Ｘ方向の力を加えると、Ｘ側弾性部９２ａは＋Ｘ方向に縮み、Ｘ側弾性部９３ａは＋Ｘ方向に伸びる。したがって、プラグコネクタ７６ａは、プラグコネクタ７６ａの外壁部と壁部８８ａとの間に形成されている所定のスペース内を＋Ｘ方向に移動する。
【００９０】
また、制御部８９ａの＋Ｙ方向側には、図１３に示すように、４つのＹ側弾性部９４ａが形成されている。制御部８９ａは、Ｙ側弾性部９４ａ及び後ろカバー８１に形成されている凸部６７ａ（図１１参照）を用いて、開口部８６ａに対するプラグコネクタ７６ａの姿勢を制御する。制御部８９ａの姿勢制御の詳細については、後述する。
【００９１】
また、プラグコネクタ７６ｂの外壁部と前カバー７９（開口部８６ｂの−Ｙ方向側に形成される壁部８８ｂ）との間には、制御部８９ｂが設けられている。制御部８９ｂは、導電性を有する部材、例えば金属からなり、開口部８６ｂに組み込まれている。制御部８９ｂの＋Ｚ方向側には、制御部８９ａのＺ側弾性部９０ａと同一の機能及び作用を有する４つのＺ側弾性部が形成されている。また、制御部８９ｂの−Ｚ方向側には、制御部８９ａのＺ側弾性部９１ａと同一の機能及び作用を有する４つのＺ側弾性部が形成されている。
【００９２】
また、制御部８９ｂの＋Ｘ方向側には、制御部８９ａのＸ側弾性部９２ａと同一の機能及び作用を有する２つのＸ側弾性部が形成されている。また、制御部８９ｂの−Ｘ方向側には、制御部８９ａのＸ側弾性部９３ａと同一の機能及び作用を有する２つのＸ側弾性部が形成されている。また、制御部８９ｂの＋Ｙ方向側には、制御部８９ａのＹ側弾性部９４ａと同一の機能及び作用を有する４つのＹ側弾性部が形成されている。なお、制御部８９ｂにおけるプラグコネクタ７６ｂの位置制御及び姿勢制御は、制御部８９ａにおけるプラグコネクタ７６ａの位置制御及び姿勢制御と同一であるため、説明を省略する。
【００９３】
次に、プラグコネクタ７６ａの構成について説明する。図１４は、図１０のＡ−Ａ断面図である。プラグコネクタ７６ａは、図１１及び図１４に示すように、回路基板８２ａに実装されている。プラグコネクタ７６ａは、図１４に示すように、レセプタクルコネクタ１１３ａ，１１３ｂ（図１５参照）の複数のコンタクト（図示せず）と接続する複数のコンタクト８５ａ及び複数のコンタクト５９ａ、並びに複数のコンタクト８５ａ，５９ａを覆うプラグシェル６５ａを備えている。複数のコンタクト８５ａそれぞれは、プラグコネクタ７６ａの＋Ｚ方向側に配置されており、コンタクト８５ａの−Ｙ方向側の端部は、回路基板８２ａに半田付け等により固定されている。また、複数のコンタクト８５ａそれぞれは、＋Ｙ方向側の端部にレセプタクルコネクタ１１３ａ，１１３ｂ（図１５参照）のコンタクト（図示せず）と接触するための接点部６１ａを備えている。複数のコンタクト５９ａのそれぞれは、プラグコネクタ７６ａの−Ｚ方向側に配置されており、コンタクト５９ａの−Ｙ方向側の端部は、回路基板８２ａに半田付け等により固定されている。また、複数のコンタクト５９ａそれぞれは、＋Ｙ方向側の端部にレセプタクルコネクタ１１３ａ，１１３ｂのコンタクト（図示せず）と接触するための接点部６３ａを備えている。
【００９４】
また、回路基板８２ａの＋Ｚ方向側には、複数のケーブル８３ａの一端が半田付け等により固定されている。複数のケーブル８３ａのそれぞれは、回路基板８２ａを介して、プラグコネクタ７６ａの＋Ｚ方向側に配置される複数のコンタクト８５ａのそれぞれに電気的に接続されている。また、回路基板８２ａの−Ｚ方向側には、複数のケーブル８４ａの一端が半田付け等により固定されている。複数のケーブル８４ａのそれぞれは、回路基板８２ａを介して、プラグコネクタ７６ａの−Ｚ方向側に配置される複数のコンタクト５９ａのそれぞれに電気的に接続されている。
【００９５】
次に、プラグコネクタ７６ｂの構成について説明する。プラグコネクタ７６ｂは、図１１に示すように、回路基板８２ｂに実装されている。また、プラグコネクタ７６ｂは、図示しない複数のコンタクト及びプラグシェル６５ｂ（図９参照）を備えている。これらの構成は、プラグドッキングコネクタ７５のＹ軸方向の中心線を線対称として、複数のコンタクト８５ａ，５９ａ及びプラグシェル６５ａの構成とそれぞれ同一である。また、回路基板８２ｂの＋Ｚ方向側には、複数のケーブル８３ｂの一端が半田付け等により固定されている。複数のケーブル８３ｂのそれぞれは、プラグコネクタ７６ｂの＋Ｚ方向側に配置される複数のコンタクト８５ｂのそれぞれに電気的に接続されている。また、回路基板８２ｂの−Ｚ方向側には、複数のケーブル８４ｂの一端が半田付け等により固定されている。複数のケーブル８４ｂのそれぞれは、プラグコネクタ７６ｂの−Ｚ方向側に配置される複数のコンタクト（図示せず）のそれぞれに電気的に接続されている。
【００９６】
ここで、プラグコネクタ７６ａ，７６ｂを実装する回路基板８２ａ，８２ｂは、回路基板８２ａ，８２ｂに複数のケーブル８３ａ，８３ｂの一端が固定されていることから、複数のケーブル８３ａ，８３ｂの一端を保持する第１保持部として機能する。第１保持部の詳細については後述する。
【００９７】
次に、後ろカバー８１の構成について説明する。後ろカバー８１は、図９に示すように、前カバー７９に取り付けられ固定されており、プラグコネクタ７６ａ，７６ｂを−Ｙ方向側から支持している。後ろカバー８１の−Ｘ方向側には、図１１に示すように、前カバー７９と後ろカバー８１との間に形成される空間から外部へ、ケーブル９６ａを導出するための開口部１０１ａが形成されている。ケーブル９６ａは、開口部１０１ａ内において図示しない接着剤等により固定されている。また、後ろカバー８１の＋Ｘ方向側には、前カバー７９と後ろカバー８１との間に形成される空間から外部へ、ケーブル９６ｂを導出するための開口部１０１ｂが形成されている。ケーブル９６ｂは、開口部１０１ｂ内において図示しない接着剤等により固定されている。
【００９８】
また、後ろカバー８１の＋Ｙ方向側の面には、制御部８９ａの構成の一部である凸部６７ａ、及び制御部８９ｂの構成の一部である凸部６７ｂが形成されている。２つの凸部６７ａ，６７ｂは、＋Ｙ方向側に凸面を有しており、凸部６７ａは、後ろカバー８１の＋Ｘ方向側に配置されており、＋Ｙ方向にプラグコネクタ７６ａを支持する。凸部６７ｂは、後ろカバー８１の−Ｘ方向側に配置されており、＋Ｙ方向にプラグコネクタ７６ｂを支持する。
【００９９】
制御部８９ａは、Ｙ側弾性部９４ａ（図１３参照）及び凸部６７ａ（図１１参照）を用いて、開口部８６ａに対するプラグコネクタ７６ａの姿勢、即ちＹ軸方向に対する傾きを制御する。例えば、Ｙ軸方向に対して傾いた方向の力をプラグコネクタ７６ａに加えると、凸部６７ａがプラグコネクタ７６ａを支持する方向及びＹ側弾性部９４ａの弾性力が変化する。そして、プラグコネクタ７６ａの姿勢は、プラグシェル６５ａと壁部８７ａとの間に形成されている所定のスペース内において力を加えた方向に変化する。即ち、プラグコネクタ７６ａは、開口部８６ａが形成されている面に対して傾く。プラグコネクタ７６ａが傾いた側に配置されるＹ側弾性部９４ａは、その弾性力を用いてプラグコネクタ７６ａを押すことにより、プラグコネクタ７６ａの傾きを補正する補正部として機能する。プラグコネクタ７６ａに加えられた力が解除されると、プラグコネクタ７６ａは、Ｙ側弾性部９４ａの弾性力により、プラグコネクタ７６ａに力が加えられる前の姿勢に戻る。
【０１００】
また、後ろカバー８１には、図１１に示すように、＋Ｚ方向側の側部にケーブル保持部６９ａ，６９ｂ、−Ｚ方向側の側部にケーブル保持部７１ａ，７１ｂが形成されている。ケーブル保持部６９ａは、−Ｘ方向側に位置しており、前カバー７９のケーブル保持部９９ａ（図１２参照）と共に、ケーブル８３ａを保持する。ケーブル保持部６９ｂは、＋Ｘ方向側に位置しており、前カバー７９のケーブル保持部９９ｂ（図１２参照）と共に、ケーブル８３ｂを保持する。ケーブル保持部７１ａは、−Ｘ方向側に位置しており、前カバー７９のケーブル保持部１００ａ（図１２参照）と共に、ケーブル８４ａを保持する。ケーブル保持部７１ｂは、＋Ｘ方向側に位置しており、ケーブル保持部１００ｂ（図１２参照）と共に、ケーブル８４ｂを保持する。ケーブル保持部６９ａ，６９ｂ，７１ａ，７１ｂのそれぞれは、前カバー７９のケーブル保持部９９ａ，９９ｂ，１００ａ，１００ｂのそれぞれと共にケーブル８３ａ，８３ｂ，８４ａ，８４ｂのそれぞれを保持する第２保持部として機能する。
【０１０１】
この第２の実施の形態において、ケーブル８３ａ（図１１参照）は、プラグコネクタ７６ａの移動に伴い追従するフレキシブル部を有し、フレキシブル部は、第１保持部としての回路基板８２ａ（図１１参照）と第２保持部としてのケーブル保持部９９ａ（図１２参照）及びケーブル保持部６９ａ（図１１参照）との間にあるケーブル収容部９７ａ（図１２参照）に収容されている。回路基板８２ａは、プラグコネクタ７６ａに対して固定されており、フレキシブル部であるケーブル８３ａの一端を保持する第１保持部として機能する。前カバー７９のケーブル保持部９９ａ及び後ろカバー８１のケーブル保持部６９ａは、カバーである前カバー７９及び後ろカバー８１に設けられており、フレキシブル部であるケーブル８３ａの他端を保持する第２保持部として機能する。
【０１０２】
このフレキシブル部、第１保持部及び第２保持部を備えることにより、プラグコネクタ７６ａは、前カバー７９及び後ろカバー８１に対して他の部材による制限を受けることなく移動することができる。なお、フレキシブル部は、ケーブル８３ａである必要はなく、例えばプラグコネクタ７６ａのコンタクト８５ａであってもよい。また、第１保持部は、回路基板８２ａである必要はなく、例えばプラグコネクタ７６ａであってもよい。
【０１０３】
次に、図面を参照して本発明の第２の実施の形態に係るレセプタクルユニットとしてのレセプタクル側のドッキングコネクタ（以下、レセプタクルドッキングコネクタという。）について説明する。図１５は、第２の実施の形態に係るレセプタクルドッキングコネクタの外観を示す斜視図、図１６は、第２の実施の形態に係るレセプタクルドッキングコネクタの外観を示す正面図、図１７は、第２の実施の形態に係るレセプタクルドッキングコネクタの外観を示す平面図、図１８は、第２の実施の形態に係るレセプタクルドッキングコネクタの外観を示す底面図である。レセプタクルドッキングコネクタ７３は、タブレット型ＰＣ等の携帯型端末装置（電子機器）に搭載されており、図１５に示すように、２つのレセプタクルコネクタ１１３ａ，１１３ｂ、２つの追加レセプタクルコネクタ１０３ａ，１０３ｂ及び２つのガイド受入部１０２ａ，１０２ｂを有するガイドシェル１０４を備えている。
【０１０４】
図１９及び図２０はレセプタクルドッキングコネクタ７３の構成について説明するための分解図であり、図１９は正面側から見た斜視図、図２０は背面側から見た斜視図である。レセプタクルコネクタ１１３ａは、プラグコネクタ７６ａ（図９参照）と嵌合し、図１６に示すように、レセプタクルコネクタ１１３ａが備えるコンタクト等（図示せず）を覆うレセプタクルシェル１０５ａを備えている。レセプタクルコネクタ１１３ｂは、プラグコネクタ７６ｂ（図９参照）と嵌合し、図１６に示すように、レセプタクルコネクタ１１３ｂが備えるコンタクト等（図示せず）を覆うレセプタクルシェル１０５ｂを備えている。
【０１０５】
レセプタクルコネクタ１１３ａ，１１３ｂは、プラグコネクタ７６ａ，７６ｂと嵌合する嵌合方向（Ｙ方向）と基板１０６の実装面（＋Ｚ方向側の面）とが平行となるように実装面に実装されている。また、レセプタクルコネクタ１１３ａ，１１３ｂは、それぞれ個別に基板１０６に実装されている。即ち、レセプタクルコネクタ１１３ａは、レセプタクルコネクタ１１３ｂとは別に基板１０６に実装されている。なお、この第２の実施の形態では、２つのレセプタクルコネクタ１１３ａ，１１３ｂを備えているが、３つ以上のレセプタクルコネクタを備えるようにしてもよい。また、３つ以上のレセプタクルコネクタを備える場合には、３つ以上のレセプタクルコネクタのうちの少なくとも１つのレセプタクルコネクタは、他の少なくとも１つのレセプタクルコネクタとは別に基板１０６に実装される。例えば、３つのレセプタクルコネクタを備える場合には、各レセプタクルコネクタが個別に基板１０６に実装、または２つのレセプタクルコネクタが一体に基板１０６に実装され１つのレセプタクルコネクタが他の２つのレセプタクルコネクタとは別に基板１０６に実装される。
【０１０６】
追加レセプタクルコネクタ１０３ａは、図１５に示すように、レセプタクルドッキングコネクタ７３の−Ｘ方向側に位置しており、ガイド受入部１０２ａ内に配置されている。図２１は、図１６のＢ−Ｂ断面図である。追加レセプタクルコネクタ１０３ａは、図１６及び図２１に示すように、複数（この第２の実施の形態では１２個）のコンタクト１０７ａを備えている。コンタクト１０７ａの一端部には、図２１に示すように、追加プラグコネクタ７７ａのコンタクト１１６ａ及び図示しないコンタクトと接続する弾性体の接続端子１０８ａが形成されている。コンタクト１０７ａの他端部は、図２１に示すように、電線１０９ａと電気的に接続されている。
【０１０７】
追加レセプタクルコネクタ１０３ｂは、図１５に示すように、レセプタクルドッキングコネクタ７３の＋Ｘ方向側に位置しており、ガイド受入部１０２ｂ内に配置されている。追加レセプタクルコネクタ１０３ｂは、複数（この第２の実施の形態では１２個）のコンタクト１０７ｂを備えている。コンタクト１０７ｂの一端部には、追加レセプタクルコネクタ１０３ａのコンタクト１０７ａと同様に、追加プラグコネクタ７７ｂのコンタクト１１６ｂ及び図示しないコンタクトと接続する弾性体の接続端子（図示せず）が形成されている。コンタクト１０７ｂの他端部は、電線１０９ｂと電気的に接続されている。
【０１０８】
なお、上述の第２の実施の形態においては、プラグコネクタ７６ａをレセプタクルコネクタ１１３ａに、プラグコネクタ７６ｂをレセプタクルコネクタ１１３ｂに嵌合させる場合を例に挙げて説明した。この場合においては、追加レセプタクルコネクタ１０３ａと追加プラグコネクタ７７ａとが嵌合し、追加レセプタクルコネクタ１０３ｂと追加プラグコネクタ７７ｂとが嵌合する。しかしながら、この第２の実施の形態に係るプラグドッキングコネクタ７５及びレセプタクルドッキングコネクタ７３は、リバーシブルコネクタであり、レセプタクルコネクタ１１３ａとプラグコネクタ７６ｂとを、レセプタクルコネクタ１１３ｂとプラグコネクタ７６ａとを嵌合させることも可能である。この場合においては、追加レセプタクルコネクタ１０３ａと追加プラグコネクタ７７ｂとが嵌合し、追加レセプタクルコネクタ１０３ｂは追加プラグコネクタ７７ａとが嵌合する。
【０１０９】
次に、ガイドシェル１０４の構成について説明する。ガイドシェル１０４は、金属等により形成されており、−Ｘ方向側に配置されるガイド受入部１０２ａ及び追加レセプタクルコネクタ１０３ａ、並びに＋Ｘ方向側に配置されるガイド受入部１０２ｂ及び追加レセプタクルコネクタ１０３ｂを備えている。即ち、ガイド受入部１０２ａ，１０２ｂは、一体に形成されている。ガイドシェル１０４は、図１５に示すように、レセプタクルコネクタ１１３ａ，１１３ｂの＋Ｚ方向側の外周を覆っている。
【０１１０】
また、ガイドシェル１０４は、図２０に示すように、ガイド部７８ａ，７８ｂ（図９参照）をガイド受入部１０２ａ，１０２ｂに挿入する挿入方向（＋Ｙ方向）に対して、レセプタクルコネクタ１１３ａ，１１３ｂを支持する支持部１１０ａ，１１０ｂを備えている。ガイドシェル１０４（支持部１１０ａ，１１０ｂ）は、図２０に示すように、レセプタクルコネクタ１１３ａ，１１３ｂの＋Ｙ方向側の外周を覆っている。支持部１１０ａ，１１０ｂは、ガイド部７８ａ，７８ｂをガイド受入部１０２ａ，１０２ｂに挿入する際に生じる＋Ｙ方向にかかる力を受ける。また、支持部１１０ａ，１１０ｂは、レセプタクルコネクタ１１３ａ，１１３ｂの基板１０６への取り付け強度を上げる。
【０１１１】
また、ガイドシェル１０４には、追加レセプタクルコネクタ１０３ａの近傍の−Ｘ方向側にネジを通すための孔１１１ａ、追加レセプタクルコネクタ１０３ｂの近傍の＋Ｘ方向側にネジを通すための孔１１１ｂが設けられている。また、ガイドシェル１０４には、追加レセプタクルコネクタ１０３ａとレセプタクルコネクタ１１３ａとの間にネジを通すための孔１１４ａ、レセプタクルコネクタ１１３ａとレセプタクルコネクタ１１３ｂとの間にネジを通すための孔１１４ｂ、レセプタクルコネクタ１１３ｂと追加レセプタクルコネクタ１０３ｂとの間にネジを通すための孔１１４ｃが設けられている。孔１１１ａ，１１１ｂ，１１４ａ〜１１４ｃは、携帯型端末装置の筐体にガイドシェル１０４を固定するための固定部として機能する。孔１１１ａと基板１０６に形成されているネジを通すための孔１１２ａとにネジを通し、孔１１１ｂと基板１０６に形成されているネジを通すための孔１１２ｂとにネジを通し、孔１１４ａと基板１０６に形成されているネジを通すための孔１１５ａとにネジを通し、孔１１４ｂと基板１０６に形成されているネジを通すための孔１１５ｂとにネジを通し、孔１１４ｃと基板１０６に形成されているネジを通すための孔１１５ｃとにネジを通し、ガイドシェル１０４及び基板１０６は、携帯型端末装置の筐体（図示せず）にネジ止めされる。即ち、ガイドシェル１０４は、レセプタクルコネクタ１１３ａ，１１３ｂが基板１０６に実装された後、基板１０６と共に該筐体に固定される。このとき、ガイドシェル１０４は、基板１０６の実装面（＋Ｚ方向側の面）に対向する位置（＋Ｚ方向側）から携帯型端末装置の筐体に取り付けられる。
【０１１２】
図２２は、図１７のＣ−Ｃ断面図である。ガイドシェル１０４とレセプタクルコネクタ１１３ａのレセプタクルシェル１０５ａとは、図２２に示すように、導通している。同様に、ガイドシェル１０４とレセプタクルコネクタ１１３ｂのレセプタクルシェル１０５ｂとは、導通している。
【０１１３】
この第２の実施の形態に係るプラグドッキングコネクタ７５によれば、ガイド部７８ａ，７８ｂを備えているため、プラグコネクタ７６ａ，７６ｂがレセプタクルコネクタ１１３ａ，１１３ｂと嵌合する前に、ガイド部７８ａ，７８ｂがレセプタクルドッキングコネクタ７３のガイド受入部１０２ａ，１０２ｂに挿入される。したがって、プラグコネクタ７６ａ，７６ｂをレセプタクルコネクタ１１３ａ，１１３ｂに損傷なく確実に嵌合させることができる。
【０１１４】
また、この第２の実施の形態に係るプラグドッキングコネクタ７５によれば、制御部８９ａ，８９ｂを備え、プラグコネクタ７６ａ，７６ｂが回路基板８２ａ，８２ｂを介してケーブル８３ａ，８３ｂ，８４ａ，８４ｂ（フレキシブル部）に接続されており、フレキシブル部は第１保持部及び第２保持部に保持されている。したがって、プラグコネクタ７６ａ，７６ｂの位置制御及び姿勢制御を行うことができる。即ち、プラグコネクタ７６ａ，７６ｂが所定のスペース内において移動可能に構成されているため、公差を最小限に抑えることができ、プラグコネクタ７６ａ，７６ｂをレセプタクルコネクタ１１３ａ，１１３ｂに損傷なく確実に嵌合させることができる。また、レセプタクルコネクタ１１３ａ，１１３ｂと嵌合していない場合においては、制御部８９ａ，８９ｂによる位置制御及び姿勢制御により、プラグコネクタ７６ａ，７６ｂを所定の位置及び所定の姿勢に維持することができる。即ち、プラグコネクタ７６ａ，７６ｂの実装時における位置及び姿勢のずれを確実に吸収することができる。
【０１１５】
また、この第２の実施の形態に係るレセプタクルドッキングコネクタ７３によれば、ガイド受入部１０２ａ，１０２ｂを備えているため、プラグコネクタ７６ａ，７６ｂがレセプタクルコネクタ１１３ａ，１１３ｂと嵌合する前に、ガイド部７８ａ，７８ｂがガイド受入部１０２ａ，１０２ｂに挿入される。したがって、プラグコネクタ７６ａ，７６ｂをレセプタクルコネクタ１１３ａ，１１３ｂに損傷なく確実に嵌合させることができる。
【０１１６】
また、この第２の実施の形態に係るレセプタクルドッキングコネクタ７３によれば、レセプタクルコネクタ１１３ａ，１１３ｂをそれぞれ個別に基板１０６に実装し、その後基板１０６を携帯型端末装置の筐体に取り付ける際に基板１０６と共にガイドシェル１０４を取り付ける。したがって、基板１０６の実装面に対するレセプタクルドッキングコネクタ７３の平坦度（コプラナリティ）を良好に維持することができ、平坦度が劣ることによる半田付け不良を防止することができる。
【０１１７】
また、この第２の実施の形態に係るレセプタクルドッキングコネクタ７３によれば、ガイドシェル１０４によりレセプタクルコネクタ１１３ａ，１１３ｂを覆い、ガイドシェル１０４とレセプタクルシェル１０５ａ，１０５ｂとが導通している。したがって、レセプタクルシェル１０５ａ，１０５ｂがレセプタクルコネクタ１１３ａ，１１３ｂのインナーシェルとして機能しているのに対し、ガイドシェル１０４をレセプタクルコネクタ１１３ａ，１１３ｂのアウターシェルとして機能させることができる。また、ガイドシェル１０４がレセプタクルコネクタ１１３ａ，１１３ｂを覆い、基板１０６に固定されているため、レセプタクルコネクタ１１３ａ，１１３ｂの基板１０６への取り付け強度を向上させることができる。
【０１１８】
また、複数の標準規格準拠のコネクタ等の所定規格コネクタを有するドッキングコネクタに更にコネクタを追加した場合、ドッキングコネクタのサイズが大きくなるという問題があったが、この第２の実施の形態に係るプラグドッキングコネクタ７５によれば、ガイド部７８ａ，７８ｂに追加プラグコネクタ７７ａ，７７ｂを配置するため、プラグドッキングコネクタ７５を小型化することができる。同様に、この第２の実施の形態に係るレセプタクルドッキングコネクタ７３によれば、ガイド受入部１０２ａ，１０２ｂに追加レセプタクルコネクタ１０３ａ，１０３ｂを配置するため、レセプタクルドッキングコネクタ７３を小型化することができる。
【０１１９】
なお、上述の第２の実施の形態に係るプラグドッキングコネクタ７５においては、プラグコネクタ７６ａ，７６ｂが回路基板８２ａ，８２ｂに実装されており、プラグコネクタ７６ａ，７６ｂのコンタクト８５ａ，５９ａ，８５ｂとケーブル８３ａ，８３ｂ，８４ａ，８４ｂとが回路基板８２ａ，８２ｂを介して電気的に接続されている。しかしながら、これに代えて、例えば図２３に示すようなプラグドッキングコネクタ１１７を用いてもよい。図２３はプラグドッキングコネクタ１１７の外観を示す斜視図、図２４はプラグドッキングコネクタ１１７の外観を示す底面図、図２５はプラグドッキングコネクタ１１７の構成を示す分解図、図２６は図２４のＥ−Ｅ断面図である。
【０１２０】
図２５及び図２６に示すように、プラグドッキングコネクタ１１７を構成するプラグコネクタ１１８ａ，１１８ｂは回路基板に実装されておらず、プラグコネクタ１１８ａ，１１８ｂの複数のコンタクト１１９ａ，１１９ｂとケーブル１２０ａ，１２０ｂとが半田付け等により直接接続されている。プラグドッキングコネクタ１１７が電子機器等に搭載される場合であって、電子機器に搭載されるプリント基板との相対位置が異なる場合であっても、プラグコネクタ１１８ａ，１１８ｂの複数のコンタクト１１９ａ，１１９ｂの形状や長さを変更することなく、プリント基板に容易に接続することができる。即ち、コンタクト１１９ａ，１１９ｂがケーブル１２０ａ，１２０ｂに接続されているため、ケーブル１２０ａ，１２０ｂを電子機器のプリント基板に接続することにより、プラグコネクタ１１８ａ，１１８ｂとプリント基板とをケーブル１２０ａ，１２０ｂを介して電気的に接続することができる。
【０１２１】
また、上述の第２の実施の形態に係るプラグドッキングコネクタ７５においては、制御部８９ａがプラグコネクタ７６ａの位置及び姿勢を制御し、且つ制御部８９ｂがプラグコネクタ７６ｂの位置及び姿勢を制御しているが、制御部８９ａのみを備える構成、または制御部８９ｂのみを備える構成にしてもよい。制御部８９ａ（または８９ｂ）のみを備える場合には、予めプラグコネクタ７６ｂ（または７６ａ）の位置及び姿勢を規定し、プラグコネクタ７６ａ（または７６ｂ）のみの位置及び姿勢を制御する。
【０１２２】
また、上述の第２の実施の形態に係るプラグドッキングコネクタ７５においては、制御部８９ａ，８９ｂがＹ側弾性部９４ａ及び後ろカバー８１の凸部６７ａ，６７ｂを用いてプラグコネクタ７６ａ，７６ｂの姿勢を制御しているが、回路基板８２ａ，８２ｂと後ろカバー８１との間に弾性部と凸部を有する姿勢制御部を備え、この姿勢制御部によりプラグコネクタ７６ａ，７６ｂの姿勢を制御してもよい。
【０１２３】
また、上述の第２の実施の形態に係るレセプタクルドッキングコネクタ７３においては、図２１に示すように、コンタクト１０７ａ，１０７ｂの他端部が電線１０９ａ，１０９ｂと電気的に接続されているが、これに代えて、追加レセプタクルコネクタ１０３，１０３ｂが追加プラグコネクタ７７ａ，７７ｂと嵌合する第１嵌合部とは別に基板１０６に予め実装されているコネクタと嵌合する第２嵌合部を備えるようにしてもよい。この場合には、コンタクト１０７ａ，１０７ｂの一端部は追加プラグコネクタ７７ａ，７７ｂのコンタクト１１６ａ，１１６ｂ及び図示しないコンタクトと電気的に接続し、コンタクト１０７ａ，１０７ｂの他端部は基板１０６に予め実装されているコネクタのコンタクトと電気的に接続する。
【０１２４】
また、上述の第２の実施の形態に係るレセプタクルドッキングコネクタ７３においては、図２１に示すように、コンタクト１０７ａ，１０７ｂの他端部が電線１０９ａ，１０９ｂと電気的に接続されているが、これに代えて、例えば図２７に示すようなレセプタクルドッキングコネクタ１２１を用いてもよい。図２７はレセプタクルドッキングコネクタ１２１の外観を示す斜視図、図２８はレセプタクルドッキングコネクタ１２１の外観を示す正面図、図２９はレセプタクルドッキングコネクタ１２１の構成を示す分解図、図３０は図２８のＦ−Ｆ断面図である。図２７〜図３０に示すように、レセプタクルドッキングコネクタ１２１を構成する追加レセプタクルコネクタ１２２ａ，１２２ｂのコンタクト１２３ａ，１２３ｂには、電線が接続されていない。また、レセプタクルドッキングコネクタ１２１を構成するガイドシェル１２４は、プラグドッキングコネクタのガイド部をガイド受入部１２５ａ，１２５ｂに挿入する挿入方向（＋Ｙ方向）に対して、追加レセプタクルコネクタ１２２ａ，１２２ｂを支持している。
【０１２５】
また、上述の第２の実施の形態に係るレセプタクルドッキングコネクタ７３においては、２つのガイド受入部１０２ａ，１０２ｂを備えているが、１つのガイド受入部または３つ以上のガイド受入部を備えるようにしてもよい。３つ以上のガイド受入部を備える場合であっても、ガイド受入部は一体に形成される。
【０１２６】
また、この第２の実施の形態に係るレセプタクルドッキングコネクタ７３によれば、リバーシブルコネクタであり、２つの追加レセプタクルコネクタ１０３ａ，１０３ｂを備えているが、１つの追加レセプタクルコネクタを備えるようにしてもよい。この場合においては、プラグコネクタ７６ａがレセプタクルコネクタ１１３ａと嵌合する際、追加プラグコネクタ７７ａが追加レセプタクルコネクタと嵌合し、プラグコネクタ７６ｂがレセプタクルコネクタ１１３ｂと嵌合する際、追加プラグコネクタ７７ｂが追加レセプタクルコネクタと嵌合する。
【０１２７】
また、上述の第２の実施の形態においては、ガイド部７８ａ，７８ｂの先端部のみがプラグコネクタ７６ａ，７６ｂの先端部より突出しているが、ガイド受入部１０２ａ，１０２ｂの先端部のみがレセプタクルコネクタ１１３ａ，１１３ｂの先端部より突出していてもよい。また、ガイド部７８ａ，７８ｂの先端部がプラグコネクタ７６ａ，７６ｂの先端部より突出し、且つガイド受入部１０２ａ，１０２ｂの先端部がレセプタクルコネクタ１１３ａ，１１３ｂの先端部より突出していてもよい。
【０１２８】
なお、上述の各実施の形態に係るプラグドッキングコネクタにおいては、２つのUSB Type C規格準拠プラグコネクタを備えているが、３つ以上のUSB Type C規格準拠プラグコネクタを備えてもよい。また、USB Type C規格準拠プラグコネクタに代えて、USB Type C規格準拠プラグコネクタ以外の複数の標準規格準拠のプラグコネクタを備えてもよい。また、標準規格準拠のプラグコネクタ以外の所定の規格を有する複数の所定規格プラグコネクタを備えてもよい。
【０１２９】
同様に、上述の各実施の形態に係るレセプタクルドッキングコネクタにおいては、２つのUSB Type C規格準拠レセプタクルコネクタを備えているが、３つ以上のUSB Type C規格準拠レセプタクルコネクタを備えてもよい。また、USB Type C規格準拠レセプタクルコネクタに代えて、USB Type C規格準拠レセプタクルコネクタ以外の複数の標準規格準拠のレセプタクルコネクタを備えてもよい。また、標準規格準拠のレセプタクルコネクタ以外の所定の規格を有する複数の所定規格レセプタクルコネクタを備えてもよい。
【０１３０】
また、上述の各実施の形態においては、プラグコネクタの位置及び姿勢を制御しているが、プラグコネクタの位置のみを制御する構成にしてもよく、またはプラグコネクタの姿勢のみを制御する構成にしてもよい。
【０１３１】
また、上述の各実施の形態に係るプラグドッキングコネクタにおいては、２つまたは４つの追加プラグコネクタを備えているが、１つ、３つまたは５つ以上の追加プラグコネクタを備えてもよい。同様に、上述の各実施の形態に係るレセプタクルドッキングコネクタにおいては、２つまたは４つの追加レセプタクルコネクタを備えているが、１つ、３つまたは５つ以上の追加レセプタクルコネクタを備えてもよい。
【符号の説明】
【０１３２】
２，６４…プラグドッキングコネクタ、４ａ，４ｂ…プラグコネクタ、６ａ〜６ｄ…追加プラグコネクタ、８ａ〜８ｄ…ガイド、１０…ガイドハウジング、１２ａ，１２ｂ，１４ａ，１４ｂ…コンタクト、１６，１８…インサートハウジング、２０ａ，２０ｂ…グランドプレート、２２…連結部、２４ａ，２４ｂ，２６ａ，２６ｂ…グランドコンタクト、２８ａ，２８ｂ…ハウジング、３０ａ，３０ｂ，３１ａ，３１ｂ…グランドプレートコンタクト、３２ａ，３２ｂ…シェル、３４ａ，３４ｂ…コンタクト、４２，７０…レセプタクルドッキングコネクタ、４４ａ〜４４ｄ…レセプタクルコネクタ、４６ａ，４６ｂ…追加レセプタクルコネクタ、４８ａ〜４８ｄ…ガイド挿入部、４９ａ，４９ｂ…コンタクト、５０…ガイドシェル、５２ａ，５２ｂ…レセプタクルグランドシェル、５４…レセプタクルハウジング、５６ａ，５６ｂ…コンタクト，５８ａ，５８ｂ…接続端子、６０ａ，６０ｂ…追加レセプタクルハウジング、６１ａ，６３ａ…接点部、６２ａ，６２ｂ…レセプタクルガイドハウジング、６５ａ，６５ｂ…プラグシェル，６７ａ，６７ｂ…凸部、６９ａ，６９ｂ，７１ａ，７１ｂ，９９ａ，９９ｂ，１００ａ，１００ｂ…ケーブル保持部、７３，１２１…レセプタクルドッキングコネクタ、７５，１１７…プラグドッキングコネクタ、７６ａ，７６ｂ，１１８ａ，１１８ｂ…プラグコネクタ、７７ａ，７７ｂ…追加プラグコネクタ、７８ａ，７８ｂ…ガイド部、７９…前カバー、８０ａ，８０ｂ…嵌合部、８１…後ろカバー、８２ａ，８２ｂ…回路基板、８３ａ，８３ｂ，８４ａ，８４ｂ，９６ａ，９６ｂ，１２０ａ，１２０ｂ…ケーブル、８５ａ，８５ｂ，５９ａ，１０７ａ，１０７ｂ，１１６ａ，１１６ｂ，１１９ａ，１１９ｂ，１２３ａ，１２３ｂ…コンタクト、８６ａ，８６ｂ，１０１ａ，１０１ｂ…開口部、８７ａ，８７ｂ，８８ａ，８８ｂ…壁部、８９ａ，８９ｂ…制御部、９０ａ，９１ａ…Ｚ側弾性部、９２ａ，９３ａ…Ｘ側弾性部、９４ａ…Ｙ側弾性部、９５ａ，９５ｂ…金属、９７ａ，９７ｂ，９８ａ，９８ｂ…ケーブル収容部、１０２ａ，１０２ｂ，１２５ａ，１２５ｂ…ガイド受入部、１０３ａ，１０３ｂ，１２２ａ，１２２ｂ…追加レセプタクルコネクタ、１０４，１２４…ガイドシェル、１０５ａ，１０５ｂ…レセプタクルシェル、１０６…基板、１０８ａ…接続端子、１０９ａ，１０９ｂ…電線、１１０ａ，１１０ｂ…支持部、１１１ａ，１１１ｂ，１１２ａ，１１２ｂ，１１４ａ〜１１４ｃ，１１５ａ〜１１５ｃ…孔、１１３ａ，１１３ｂ…レセプタクルコネクタ。
【図１】
2018026364.tif 000003
【図２】
2018026364.tif 000004
【図３】
2018026364.tif 000005
【図４】
2018026364.tif 000006
【図５】
2018026364.tif 000007
【図６】
2018026364.tif 000008
【図７】
2018026364.tif 000009
【図８】
2018026364.tif 000010
【図９】
2018026364.tif 000011
【図１０】
2018026364.tif 000012
【図１１】
2018026364.tif 000013
【図１２】
2018026364.tif 000014
【図１３】
2018026364.tif 000015
【図１４】
2018026364.tif 000016
【図１５】
2018026364.tif 000017
【図１６】
2018026364.tif 000018
【図１７】
2018026364.tif 000019
【図１８】
2018026364.tif 000020
【図１９】
2018026364.tif 000021
【図２０】
2018026364.tif 000022
【図２１】
2018026364.tif 000023
【図２２】
2018026364.tif 000024
【図２３】
2018026364.tif 000025
【図２４】
2018026364.tif 000026
【図２５】
2018026364.tif 000027
【図２６】
2018026364.tif 000028
【図２７】
2018026364.tif 000029
【図２８】
2018026364.tif 000030
【図２９】
2018026364.tif 000031
【図３０】
2018026364.tif 000032